(57)【特許請求の範囲】
【請求項１】
デュアルカード・デュアルスタンバイ・デュアルパスを実装する通信方法であって、
前記方法は、デュアルレシーブ・シングルトランスミット・デュアルカード・デュアルスタンバイ・シングルパス（ＤＲ−ＤＳＤＳ）に対応する端末に適用され、該端末は、第１の加入者識別モジュール（ＳＩＭ）カードインターフェイス及び第２のＳＩＭカードインターフェイスを有し、前記第１のＳＩＭカードインターフェイスは、第１のＳＩＭカードと通信するよう構成され、前記第２のＳＩＭカードインターフェイスは、第２のＳＩＭカードと通信するよう構成され、前記方法は、
前記端末が、前記第１のＳＩＭカードに関係がある音声通話である第１の通信接続にあるときに、前記第２のＳＩＭカードに関係がある第２の通信接続をセットアップするためのページング要求を受け取ることと、
前記端末が前記第２の通信接続に対する前記ページング要求を受け取るときに、前記端末が前記第１の通信接続の送信されるべきボイスパケットを有している場合には、前記端末によって、前記第２の通信接続をセットアップするための前記ページング要求に応答することを遅延させること、又は前記端末が前記第２の通信接続に対する前記ページング要求を受け取るときに、前記端末が前記第１の通信接続の送信されるべきボイスパケットを有していない場合には、前記端末によって、前記第２の通信接続をセットアップするための前記ページング要求に応答することと、
前記端末によって、前記第２の通信接続が前記第２のＳＩＭカードに関係がある音声通話であるかどうかを判定することと、
前記第２の通信接続が前記第２のＳＩＭカードに関係がある音声通話であると決定するときに、前記端末によって前記第２の通信接続の着呼通知を与えることと
を有し、
前記端末によって前記第２の通信接続の着呼通知を与えることより前に、前記方法は、
前記端末によって前記第２の通信接続のアップリンクデータパケットを送る優先度が、前記第１の通信接続のアップリンクデータパケットを送る優先度よりも高いこと
を更に有する、前記方法。
【請求項２】
前記方法は、
前記第２の通信接続が前記第２のＳＩＭカードに関係がある音声通話でないと決定するときに、前記第１の通信接続を処理し続けること
を更に有する、
請求項１に記載の方法。
【請求項３】
前記端末によって、前記第２の通信接続が前記第２のＳＩＭカードに関係がある音声通話であるかどうかを判定することは、
前記端末によって、無線リソース制御（ＲＲＣ）接続をセットアップするためのＲＲＣシグナリングをネットワークデバイスへ送り、ＳＩＰシグナリングを前記ネットワークデバイスへ送ることと、
前記端末がＩＮＶＩＴＥメッセージを受け取ることができるかどうかに基づき、前記第２の通信接続が前記第２のＳＩＭカードに関係がある音声通話であるかどうかを判定することと
を有する、
請求項２に記載の方法。
【請求項４】
前記端末によって、前記第２の通信接続が前記第２のＳＩＭカードに関係がある音声通話であるかどうかを判定することは、
前記第２の通信接続をセットアップするための前記ページング要求に基づき、前記第２の通信接続が前記第２のＳＩＭカードに関係がある音声通話であるかどうかを判定すること
を有する、
請求項２に記載の方法。
【請求項５】
前記端末が前記第２の通信接続の着呼通知を与えるときに、前記方法は、
前記端末によって前記第１の通信接続のアップリンクボイスパケットを送る優先度が、前記第２の通信接続のアップリンクシグナリングパケットを送る優先度よりも高いこと
を更に有する、
請求項１に記載の方法。
【請求項６】
前記端末が前記第２の通信接続の着呼通知を与えた後に、前記方法は、
前記端末が前記第１の通信接続を終了し、前記第２の通信接続にあるときに、前記端末によって前記第２の通信接続のアップリンクボイスパケットを送る優先度が、前記第１の通信接続のアップリンクネットワークアクセスデータパケットを送る優先度よりも高いこと
を更に有する、
請求項１乃至５のうちいずれか一項に記載の方法。
【請求項７】
デュアルレシーブ・シングルトランスミット・デュアルカード・デュアルスタンバイ・シングルパス（ＤＲ−ＤＳＤＳ）に対応する端末であって、該端末は、第１の加入者識別モジュール（ＳＩＭ）カードインターフェイス及び第２のＳＩＭカードインターフェイスを有し、前記第１のＳＩＭカードインターフェイスは、第１のＳＩＭカードと通信するよう構成され、前記第２のＳＩＭカードインターフェイスは、第２のＳＩＭカードと通信するよう構成される、前記端末において、
前記端末が、前記第１のＳＩＭカードに関係がある音声通話である第１の通信接続にあるときに、前記第２のＳＩＭカードに関係がある第２の通信接続をセットアップするためのページング要求を受け取るよう構成される受信モジュールと、
前記端末が前記第１の通信接続にあるときに該第１の通信接続のボイスパケットを送るよう構成される送信モジュールと、
前記受信モジュールが前記第２の通信接続に対する前記ページング要求を受け取るときに、
前記送信モジュールが前記第１の通信接続の送信されるべきボイスパケットを有している場合には、前記第２の通信接続をセットアップするための前記ページング要求に応答することを遅延させ、あるいは、
前記送信モジュールが前記第１の通信接続の送信されるべきボイスパケットを有していない場合には、前記第２の通信接続をセットアップするための前記ページング要求に応答する
よう構成される応答モジュールと、
前記第２の通信接続が前記第２のＳＩＭカードに関係がある音声通話であるかどうかを判定するよう構成される判定モジュールと、
前記第２の通信接続が前記第２のＳＩＭカードに関係がある音声通話であると前記判定モジュールが決定するときに、前記第２の通信接続の着呼通知を与えるよう構成される着呼通知モジュールであり、前記着呼通知モジュールが前記第２の通信接続の着呼通知を与える前に、前記送信モジュールによって前記第２の通信接続のアップリンクデータパケットを送る優先度は、前記第１の通信接続のアップリンクデータパケットを送る優先度よりも高い、前記着呼通知モジュールと
を有する前記端末。
【請求項８】
前記送信モジュールは、前記第２の通信接続が前記第２のＳＩＭカードに関係がある音声通話でないと前記判定モジュールが決定するときに、前記第１の通信接続の前記ボイスパケットを送り続けるよう更に構成される、
請求項７に記載の端末。
【請求項９】
前記送信モジュールは、無線リソース制御（ＲＲＣ）接続をセットアップするためのＲＲＣシグナリングをネットワークデバイスへ送り、ＳＩＰシグナリングを前記ネットワークデバイスへ送るよう更に構成され、
前記受信モジュールは、前記ネットワークデバイスによって送られたＩＮＶＩＴＥメッセージを受け取るよう更に構成され、
前記判定モジュールは、前記受信モジュールが前記ＩＮＶＩＴＥメッセージを受け取ることができるかどうかに基づき、前記第２の通信接続が前記第２のＳＩＭカードに関係がある音声通話であるかどうかを判定するよう特に構成される、
請求項８に記載の端末。
【請求項１０】
前記判定モジュールは、前記第２の通信接続をセットアップするための、前記受信モジュールによって受信された前記ページング要求に基づき、前記第２の通信接続が前記第２のＳＩＭカードに関係がある音声通話であるかどうかを判定するよう特に構成される、
請求項８に記載の端末。
【請求項１１】
前記着呼通知モジュールが前記第２の通信接続の着呼通知を与えるときに、
前記送信モジュールによって前記第１の通信接続のアップリンクボイスパケットを送る優先度は、前記第２の通信接続のアップリンクシグナリングパケットを送る優先度よりも高い、
請求項７に記載の端末。
【請求項１２】
前記着呼通知モジュールが前記第２の通信接続の着呼通知を与えた後に、
前記端末が前記第１の通信接続を終了し、前記第２の通信接続にあるときに、前記送信モジュールによって前記第２の通信接続のアップリンクボイスパケットを送る優先度は、前記第１の通信接続のアップリンクネットワークアクセスデータパケットを送る優先度よりも高い、
請求項７乃至１１のうちいずれか一項に記載の端末。
【請求項１３】
デュアルレシーブ・シングルトランスミット・デュアルカード・デュアルスタンバイ・シングルパス（ＤＲ−ＤＳＤＳ）に対応する端末であって、
前記端末は、１つ以上のプロセッサ、メモリ、通信インターフェイス、第１の加入者識別モジュール（ＳＩＭ）カードインターフェイス、及び第２のＳＩＭカードインターフェイスを有し、
前記メモリ、前記通信インターフェイス、前記第１のＳＩＭカードインターフェイス、及び前記第２のＳＩＭカードインターフェイスは、前記１つ以上のプロセッサへ結合され、前記第１のＳＩＭカードインターフェイスは、第１のＳＩＭカードと通信するよう構成され、前記第２のＳＩＭカードインターフェイスは、第２のＳＩＭカードと通信するよう構成され、前記通信インターフェイスは、２つの無線周波数受信チャネル及び１つの無線周波数送信チャネルを有し、
前記メモリは、コンピュータプログラムコードを記憶するよう構成され、該コンピュータプログラムコードは命令を有し、該命令を前記１つ以上のプロセッサが実行するときに、前記端末は、請求項１乃至６のうちいずれか一項に記載の、デュアルカード・デュアルスタンバイ・デュアルパスを実装する通信方法を実行する、
前記端末。
【請求項１４】
コンピュータ命令を有し、該コンピュータ命令が、デュアルレシーブ・シングルトランスミット・デュアルカード・デュアルスタンバイ・シングルパス（ＤＲ−ＤＳＤＳ）に対応する端末で実行されるときに、該端末が、請求項１乃至６のうちいずれか一項に記載の、デュアルカード・デュアルスタンバイ・デュアルパスを実装する通信方法を実行する、
コンピュータ記憶媒体。
【請求項１５】
コンピュータプログラムであって、
前記コンピュータプログラムがコンピュータで実行されるときに、該コンピュータに、請求項１乃至６のうちいずれか一項に記載の、デュアルカード・デュアルスタンバイ・デュアルパスを実装する通信方法を実行させる、
前記コンピュータプログラム。
【発明の詳細な説明】
【技術分野】
【０００１】
本願は、「COMMUNICATION  METHOD  FOR  IMPLEMENTING  DUAL  CARD  DUAL  STANDBY  DUAL  PASS」と題されて２０１７年３月２４日付けで中国特許庁に出願された中国特許出願第２０１７１０１８４９１２．２号の優先権を主張し、この中国出願は、その全文を参照により本願に援用される。
【０００２】
本発明の実施形態は、通信技術の分野に、特に、デュアルカード・デュアルスタンバイ・デュアルパスを実装する通信方法及び端末に関係がある。
【背景技術】
【０００３】
通信技術の発展とともに、多くのモバイル端末（例えば、携帯電話機）は、デュアルカード・デュアルスタンバイ機能を具備する。デュアルカード・デュアルスタンバイは、２つの加入者識別モジュール（Subscriber  Identity  Module，ＳＩＭ）カードが携帯電話機に設置され、２つのＳＩＭカードがネットワーク上で同時にスタンバイ状態にあることができることを意味する。
【０００４】
デュアルカード・デュアルスタンバイ・シングルパス（Dual  SIM  Dual  Standby  ＤＳＤＳ）は、一般的なデュアルカード・デュアルスタンバイ解決法である。ひと組の送信及び受信無線周波数がＤＳＤＳ携帯電話機で設定され、そして、携帯電話機がスタンバイ状態にあるときに、２つのＳＩＭカードは、時分割方式でモニタリング及びページングを実行し得る。しかし、ひと組の送信及び受信無線周波数しかＤＳＤＳ携帯電話機では設定されないので、ＤＳＤＳ携帯電話機はデュアルカード・デュアルスタンバイしか実装することができず、２つのカードは同時に通信を行うことができない。例えば、一方のＳＩＭカードがボイスデータを送信するために送信及び受信無線周波数を使用するときに、そのＳＩＭカードは無線周波数リソースを完全に占有するので、他方のＳＩＭは、無線周波数リソースの不可用性によりページング（paging）要求を受信することができず、呼び出しに応えることができない。
【０００５】
携帯電話機のデュアルカード・デュアルスタンバイ・デュアルパスを実装するよう、デュアルカード・デュアルスタンバイ・デュアルパス（Dual  SIM  Dual  pass，ＤＳＤＡ）技術が携帯電話機に適用される。ふた組の送信及び受信無線周波数がＤＳＤＡ携帯電話機で設定される。換言すれば、各ＳＩＭは、独立したひと組の送信及び受信無線周波数を具備する。結果として、たとえ一方のＳＩＭカードがボイスデータを送信するためにひと組の送信及び受信無線周波数を使用するとしても、他方のＳＩＭカードは、ページング（paging）メッセージを受信し、呼び出しに応えるために、他方の組の送信及び受信無線周波数を使用することができる。しかし、ＤＳＤＡ携帯電話機でふた組の送信及び受信無線周波数を設定することは、比較的に費用がかかる。その上、ふた組の送信及び受信無線周波数を設定することは、比較的に大きいレイアウト面積を占有し、携帯電話機のサイズを大きくする。
【０００６】
現在、デュアルレシーブ・シングルトランスミットＤＳＤＳ（Dual  Receive-DSDS，ＤＲ−ＤＳＤＳ）に対応する携帯電話機が提案されている。ＤＳＤＡ携帯電話機と比較して、ただ１つの無線周波数送信（Transmit，Ｔｘ）チャネル及び２つの無線周波数受信（Receive，Ｒｘ）チャネルがＤＲ−ＤＳＤＳ携帯電話機では設定される。そのため、無線周波数回路によって占有されるレイアウト面積は削減され、携帯電話機の費用を下げることができる。
【０００７】
２つの無線周波数受信（Ｒｘ）チャネルがＤＲ−ＤＳＤＳ携帯電話機で設定され、そして、一方のＳＩＭカードがボイスデータを送信するときに、他方のＳＩＭカードはページング（paging）メッセージを受信することができる。しかし、１つの無線周波数送信（Ｔｘ）チャネルしかＤＲ−ＤＳＤＳ携帯電話機で設定されない。そのため、一方のＳＩＭカードがボイスデータを送信し、無線周波数送信チャネルを占有するときに、他方のＳＩＭカードは、ネットワークデバイスへの接続をセットアップするための無線周波数送信チャネルの不可用性により、呼び出しに応えることができない。換言すれば、ＤＲ−ＤＳＤＳ携帯電話機は、デュアルカード・デュアルスタンバイ・デュアルパスを実装することができない、すなわち、他方のＳＩＭカードが音声通話を実行するときに一方のＳＩＭカードの着呼の呼び鈴を実装することができない。これは、比較的に大きい不便をユーザにもたらす。
【発明の概要】
【０００８】
本願は、ＤＲ−ＤＳＤＳに対応する端末のデュアルカード・デュアルスタンバイ・デュアルパスを実装し、ユーザ経験を改善するよう、デュアルカード・デュアルスタンバイ・デュアルパスを実装する通信方法及び端末を提供する。
【０００９】
上記の目的を達成すべく、本願は、次の技術的解決法を要する。
【００１０】
第１の態様に従って、本願は、デュアルカード・デュアルスタンバイ・デュアルパスを実装する通信方法であって、前記方法は、ＤＲ−ＤＳＤＳに対応する端末に適用され、該端末は、第１のＳＩＭカードインターフェイス及び第２のＳＩＭカードインターフェイスを有し、前記第１のＳＩＭカードインターフェイスは、第１のＳＩＭカードと通信するよう構成され、前記第２のＳＩＭカードインターフェイスは、第２のＳＩＭカードと通信するよう構成される、前記方法を提供する。前記方法は、前記端末が第１の通信接続にある（すなわち、前記端末が、前記第１のＳＩＭカードに関係がある呼び出し状態にある）ときに、前記第２のＳＩＭカードに関係がある第２の通信接続をセットアップするためのページング要求（すなわち、前記第２のＳＩＭカードに対するページング要求）を受け取ることと、前記端末が前記第２の通信接続に対する前記ページング要求を受け取るときに、前記端末が前記第１の通信接続の送信されるべきボイスパケットを有している場合には、前記端末によって、前記第２の通信接続をセットアップするための前記ページング要求に応答することを遅延させること、又は前記端末が前記第１の通信接続の送信されるべきボイスパケットを有していない場合には、前記端末によって、前記第２の通信接続をセットアップするための前記ページング要求に直ちに応答することとを含む。
【００１１】
本願では、端末が第１の通信接続にある（すなわち、端末が、第１のＳＩＭカードに関係がある呼び出し状態にある）ときに、端末が第２のＳＩＭカードに対するページング要求を受け取る場合には、端末は、該端末が第１の通信接続の送信されるべきボイスパケットを有している（すなわち、無線周波数Ｔｘリソース上で送信されるべき第１のＳＩＭカードのボイスパケットがある）ときに、ページング要求に応答することを遅延させてよい。換言すれば、端末は、該端末が第１の通信接続の送信されるべきボイスパケットを有していない（すなわち、無線周波数Ｔｘリソース上で送信されるべき第１のＳＩＭカードのボイスパケットがない）ときにのみ、ページング要求に応答してよい。このように、端末は、第１のＳＩＭカードの音声通話品質に影響を及ぼさずに、第２のＳＩＭカードのページング要求に応答して第２のＳＩＭカードの着呼通知を与えることができる。
【００１２】
要するに、この解決法によれば、端末は、ユーザ経験を改善するよう、コールカードの音声通話品質に影響を及ぼさずに端末のデュアルカード・デュアルスタンバイ・デュアルパスを実装することができる。
【００１３】
第１の態様を参照して、第１の可能な実施において、前記第２の通信接続をセットアップするための前記ページング要求は、ＶｏＬＴＥ音声サービスを実行することを要求するために使用されても、あるいは、コモンデータサービス（例えば、ネットワークアクセスデータサービスなど）を実行することを要求するために使用されてもよい。本願では、端末は、前記第２の通信接続が前記第２のＳＩＭカードに関係がある音声通話であるかどうかを判定し、前記第２の通信接続が前記第２のＳＩＭカードに関係がある音声通話でないと決定するときに、前記第１の通信接続を処理し続けることができる。
【００１４】
第１の態様を参照して、第２の可能な実施において、前記第２の通信接続に対する前記ページング要求は、ロング・ターム・エボリューション（Long  Term  Evolution，ＬＴＥ）ネットワークのページング要求であってもよい。ＬＴＥネットワークのページング要求を受け取った後に、端末は、ページング要求がＶｏＬＴＥ音声サービスを実行することを要求するために使用されるか、あるいは、コモンデータサービス（例えば、ネットワークアクセスデータサービスなど）を実行することを要求するために使用されるかどうかを判定することができない。端末は、ネットワークデバイスによって送られ、ＲＲＣ接続がセットアップされた後に受け取られるＩＮＶＩＴＥメッセージに基づき、第２の通信接続が第２のＳＩＭカードに関係がある音声通話であるかどうかを判定してよい。具体的に、上記の、前記端末によって、前記第２の通信接続が前記第２のＳＩＭカードに関係がある音声通話であるかどうかを判定することは、前記端末によって、無線リソース制御（Radio  Resource  Control，ＲＲＣ）接続をセットアップするためのＲＲＣシグナリングをネットワークデバイスへ送り、ＳＩＰシグナリングを前記ネットワークデバイスへ送ることと、前記端末がＩＮＶＩＴＥメッセージを受け取ることができるかどうかに基づき、前記第２の通信接続が前記第２のＳＩＭカードに関係がある音声通話であるかどうかを判定することとを含む。
【００１５】
端末がネットワークデバイスへのＲＲＣ接続をセットアップした後に、ページング要求がＶｏＬＴＥ音声サービスを実行することを要求するために使用される場合には、ネットワークデバイスは、ＩＮＶＩＴＥ（invite）メッセージ（すなわち、第２の通信接続のＩＮＶＩＴＥメッセージ）を端末へ送ってよい。
【００１６】
第１の可能な実施を参照して、第３の可能な実施において、ページング要求は、回線交換（Circuit  Switched，ＣＳ）ドメインサービスのページング要求であってもよい。ＣＳドメインサービスのページング要求は、ページング要求がＣＳドメインサービスを実行することを要求するために使用されることを直接示してよく、端末は、ページング要求がＣＳドメインサービス又はコモンデータサービスを実行することを要求するために使用されるかどうかを判定するためにＩＮＶＩＴＥメッセージを受信するのを待つ必要がない。具体的に、上記の、前記端末によって、前記第２の通信接続が前記第２のＳＩＭカードに関係がある音声通話であるかどうかを判定することは、前記第２の通信接続をセットアップするための前記ページング要求に基づき、前記第２の通信接続が前記第２のＳＩＭカードに関係がある音声通話であるかどうかを判定することを含む。
【００１７】
第１乃至第３の可能な実施のうちいずれか１つを参照して、第４の可能な実施において、前記第２の通信接続が前記第２のＳＩＭカードに関係がある音声通話であると決定するときに、端末は、前記第２の通信接続の着呼通知を与えてよい。第２の通信接続が第２のＳＩＭカードに関係ある音声通話である場合には、端末は、ネットワークデバイスへのＲＲＣ接続をセットアップしてよい。ＲＲＣ接続をセットアップした後に、端末は、第２の通信接続に対応する着呼情報をネットワークデバイスから取得し、第２の通信接続の着呼通知を与えるために、セッション開始プロトコル（Session  Initiation  Protocol，ＳＩＰ）シグナリングをネットワークデバイスと交換する。
【００１８】
第４の可能な実施を参照して、第５の可能な実施において、端末が、第２の通信接続の着呼情報を取得するために第２の通信接続のＳＩＰシグナリングをネットワークデバイスと交換し、第２の通信接続の着呼通知を与えることができることを確かにすべく、前記端末によって前記第２の通信接続のアップリンクデータパケットを送る優先度は、前記端末が第２の通信接続の着呼通知を与える前に、前記第１の通信接続のアップリンクデータパケットを送る優先度よりも高い。具体的に言えば、端末が第２の通信接続の着呼通知を与える前に、端末は、第２優先規則に従って無線周波数送信リソース上でアップリンクデータパケットを送信する。第２優先規則は、次のようにセットされてよい。無線周波数送信リソース上での第２の通信接続のアップリンクデータパケットの送信優先度は、無線周波数送信リソース上での第１の通信接続のアップリンクデータパケットの送信優先度よりも高い。
【００１９】
第４の可能な実施又は第５の可能な実施を参照して、第６の可能な実施において、第１のＳＩＭカードの音声通信品質を優先的に確保すべく、前記端末が第２の通信接続の着呼通知を与えるときに、前記端末によって前記第１の通信接続のアップリンクボイスパケットを送る優先度は、前記第２の通信接続のアップリンクシグナリングパケットを送る優先度よりも高い。例えば、ネットワークデバイスによって送られた着呼情報を端末が受け取った後に、端末によって第１の通信接続のアップリンクボイスパケットを送る優先度は、第２の通信接続のアップリンクシグナリングパケットを送る優先度よりも高い。代替的に、着呼情報を取得するために使用されるＳＩＰシグナリングを端末がネットワークデバイスへ送った後に、端末によって第１の通信接続のアップリンクボイスパケットを送る優先度は、第２の通信接続のアップリンクシグナリングパケットを送る優先度よりも高い。
【００２０】
具体的に言えば、端末が第２の通信接続の着呼通知を与えるときに、端末は、第１優先規則に従って無線周波数送信リソース上でアップリンクデータパケットを送信する。第１優先規則は、次のようにセットされてよい。無線周波数送信リソース上での第１の通信接続のアップリンクボイスパケットの送信優先度は、無線周波数送信リソース上での第２の通信接続のアップリンクシグナリングパケットの送信優先度よりも高い。
【００２１】
第４乃至第６の可能な実施のうちいずれか１つを参照して、第７の可能な実施において、第１のＳＩＭカードが端末の一次ＳＩＭカードであり、第２のＳＩＭカードが端末の二次ＳＩＭカードであり、端末のネットワークアクセスデータサービスが第１のＳＩＭカード上にあると仮定される。前記端末が着呼通知を与えた後に、本願の方法は、前記端末が前記第１の通信接続を終了し、前記第２の通信接続にあるときに、前記端末によって前記第２の通信接続のアップリンクボイスパケットを送る優先度が、前記第１の通信接続のアップリンクネットワークアクセスデータパケットを送る優先度よりも高いことを更に含む。具体的に言えば、端末が第１の通信接続を終了し、第２の通信接続にあるときに、端末は、第３優先規則に従って無線周波数送信リソース上でアップリンクデータパケットを送信する。
【００２２】
第３優先規則は、次の通りであってよい。（１）無線周波数Ｔｘチャネル上でのコールカードの高優先パケットの送信優先度は、無線周波数Ｔｘチャネル上でのアクセスカードのネットワークアクセスデータサービスの送信優先度よりも高く、（２）無線周波数Ｔｘチャネル上でのアクセスカードのネットワークアクセスデータサービスの送信優先度は、無線周波数Ｔｘチャネル上での２つのカードの低優先パケットの送信優先度よりも高い。コールカードの高優先パケット及び２つのカードの低優先パケットに関する詳細については、本願の実施形態における関連用語の説明を参照されたい。詳細は、本願ではここで記載されない。
【００２３】
端末の第１のＳＩＭカードは音声通信を終了するが、第１のＳＩＭカードにはネットワークアクセスデータサービスが存在することが理解され得る。第１のＳＩＭカードのネットワークアクセスデータサービスが、第２のＳＩＭカードの音声通信品質にそれほど影響を及ぼさずに順当に実行されることを確かにすべく、端末は、第３優先規則に従って無線周波数送信リソース上でアップリンクデータパケットを送信することができる。
【００２４】
第２の態様に従って、本願は、ＤＲ−ＤＳＤＳに対応する端末であって、該端末は、第１のＳＩＭカードインターフェイス及び第２のＳＩＭカードインターフェイスを有し、前記第１のＳＩＭカードインターフェイスは、第１のＳＩＭカードと通信するよう構成され、前記第２のＳＩＭカードインターフェイスは、第２のＳＩＭカードと通信するよう構成される、前記端末を提供する。端末は、受信モジュール、送信モジュール、及び応答モジュールを含む。前記受信モジュールは、前記端末が第１の通信接続にあるときに、第２の通信接続をセットアップするためのページング要求を受け取るよう構成され、このとき、前記第１の通信接続は、前記第１のＳＩＭカードに関係がある音声通話であり、前記第２の通信は、前記第２のＳＩＭカードに関係がある。前記送信モジュールは、前記端末が前記第１の通信接続にあるときに該第１の通信接続のボイスパケットを送るよう構成される。前記応答モジュールは、前記受信モジュールが前記第２の通信接続に対する前記ページング要求を受け取るときに、前記送信モジュールが前記第１の通信接続の送信されるべきボイスパケットを有している場合には、前記第２の通信接続をセットアップするための前記ページング要求に応答することを遅延させ、あるいは、前記送信モジュールが前記第１の通信接続の送信されるべきボイスパケットを有していない場合には、前記第２の通信接続をセットアップするための前記ページング要求に応答するよう構成される。
【００２５】
第２の態様を参照して、第１の可能な実施において、前記端末は、判定モジュールを更に含む。前記判定モジュールは、前記第２の通信接続が前記第２のＳＩＭカードに関係がある音声通話であるかどうかを判定するよう構成される。前記送信モジュールは、前記第２の通信接続が前記第２のＳＩＭカードに関係がある音声通話でないと前記判定モジュールが決定するときに、前記第１の通信接続の前記ボイスパケットを送り続けるよう更に構成される。
【００２６】
第１の可能な実施を参照して、第２の可能な実施において、前記送信モジュールは、無線リソース制御ＲＲＣ接続をセットアップするためのＲＲＣシグナリングをネットワークデバイスへ送り、ＳＩＰシグナリングを前記ネットワークデバイスへ送るよう更に構成される。前記受信モジュールは、前記ネットワークデバイスによって送られたＩＮＶＩＴＥメッセージを受け取るよう更に構成される。前記判定モジュールは、前記受信モジュールが前記ＩＮＶＩＴＥメッセージを受け取ることができるかどうかに基づき、前記第２の通信接続が前記第２のＳＩＭカードに関係がある音声通話であるかどうかを判定するよう特に構成される。
【００２７】
第１の可能な実施を参照して、第３の可能な実施において、前記判定モジュールは、前記第２の通信接続をセットアップするための、前記受信モジュールによって受信された前記ページング要求に基づき、前記第２の通信接続が前記第２のＳＩＭカードに関係がある音声通話であるかどうかを判定するよう特に構成される。
【００２８】
第１乃至第３の可能な実施のうちいずれか１つを参照して、第４の可能な実施において、前記端末は、着呼通知モジュールを更に含んでよい。前記着呼通知モジュールは、前記第２の通信接続が前記第２のＳＩＭカードに関係がある音声通話であると前記判定モジュールが決定するときに、前記第２の通信接続の着呼通知を与えるよう構成される。
【００２９】
第４の可能な実施を参照して、第５の可能な実施において、前記着呼通知モジュールが前記第２の通信接続の着呼通知を与える前に、前記送信モジュールによって前記第２の通信接続のアップリンクデータパケットを送る優先度は、前記第１の通信接続のアップリンクデータパケットを送る優先度よりも高い。
【００３０】
第４の可能な実施を参照して、第６の可能な実施において、前記着呼通知モジュールが前記第２の通信接続の着呼通知を与えるときに、前記送信モジュールによって前記第１の通信接続のアップリンクボイスパケットを送る優先度は、前記第２の通信接続のアップリンクシグナリングパケットを送る優先度よりも高い。
【００３１】
第４乃至第６の可能な実施のうちいずれか１つを参照して、第７の可能な実施において、前記着呼通知モジュールが前記第２の通信接続の着呼通知を与えた後に、前記端末が前記第１の通信接続を終了し、前記第２の通信接続にあるときに、前記送信モジュールによって前記第２の通信接続のアップリンクボイスパケットを送る優先度は、前記第１の通信接続のアップリンクネットワークアクセスデータパケットを送る優先度よりも高い。
【００３２】
本願の第２の態様又は第２の態様のいずれかの可能な実施における第１優先規則及び第２優先規則については、第１の態様の可能な実施における詳細な説明が参照され得ることが留意されるべきである。詳細は、本願においてここで再度記載されない。
【００３３】
第３の態様に従って、本願は、ＤＲ−ＤＳＤＳに対応する端末であって、前記端末は、１つ以上のプロセッサ、メモリ、通信インターフェイス、第１のＳＩＭカードインターフェイス、及び第２のＳＩＭカードインターフェイスを含む、前記端末を提供する。前記メモリ、前記通信インターフェイス、前記第１のＳＩＭカードインターフェイス、及び前記第２のＳＩＭカードインターフェイスは、前記１つ以上のプロセッサへ結合され、前記第１のＳＩＭカードインターフェイスは、第１のＳＩＭカードと通信するよう構成され、前記第２のＳＩＭカードインターフェイスは、第２のＳＩＭカードと通信するよう構成され、前記通信インターフェイスは、２つの無線周波数受信チャネル（例えば、無線周波数受信チャネル１及び無線周波数受信チャネル２）及び１つの無線周波数送信チャネルを含む。例えば、無線周波数受信チャネル１は、第１の通信接続のダウンリンクデータパケットを受信するよう構成され、無線周波数受信チャネル２は、第２の通信接続のダウンリンクデータパケットを受信するよう構成される。
【００３４】
前記メモリは、コンピュータプログラムコードを記憶するよう構成され、該コンピュータプログラムコードは命令を含み、該命令を前記１つ以上のプロセッサが実行するときに、前記端末は、本願の第１の態様又は第１の態様のいずれかの可能な実施に従ってデュアルカード・デュアルスタンバイ・デュアルパスを実装する通信方法を実行する。
【００３５】
具体的に、前記通信インターフェイスは、前記端末が前記第１の通信接続にあるときに、前記第２の通信接続をセットアップするためのページング要求を受け取るよう構成され、このとき、前記第１の通信接続は、前記第１のＳＩＭカードに関係がある音声通話であり、前記第２の通信接続は、前記第２のＳＩＭカードに関係がある。
【００３６】
前記１つ以上のプロセッサは、前記無線周波数受信チャネル１が前記第２の通信接続に対する前記ページング要求を受け取るときに、前記無線周波数送信チャネルが前記第１の通信接続の送信されるべきボイスパケットを有している場合には、前記第２の通信接続をセットアップするための前記ページング要求に応答することを遅延させ、あるいは、前記無線周波数送信チャネルが前記第１の通信接続の送信されるべきボイスパケットを有していない場合には、前記第２の通信接続をセットアップするための前記ページング要求に応答するよう構成される。
【００３７】
第３の態様を参照して、第１の可能な実施において、前記１つ以上のプロセッサは、前記第２の通信接続が前記第２のＳＩＭカードに関係がある音声通話であるかどうかを判定し、前記第２の通信接続が前記第２のＳＩＭカードに関係がある音声通話でないと決定するときに、前記第１の通信接続を処理し続けるよう更に構成される。
【００３８】
第１の可能な実施を参照して、第２の可能な実施において、前記通信インターフェイスは、ＲＲＣ接続をセットアップするためのＲＲＣシグナリングをネットワークデバイスへ前記無線周波数送信チャネルを通じて送り、ＳＩＰシグナリングを前記ネットワークデバイスへ送るよう更に構成される。前記１つ以上のプロセッサは、前記無線周波数受信チャネル２がＩＮＶＩＴＥメッセージを受信することができるかどうかに基づき、前記第２の通信接続が前記第２のＳＩＭカードに関係がある音声通話であるかどうかを判定するよう更に構成される。
【００３９】
第１の可能な実施を参照して、第３の可能な実施において、前記１つ以上のプロセッサが、前記第２の通信接続が前記第２のＳＩＭカードに関係がある音声通話であるかどうかを判定するよう構成されることは、前記１つ以上のプロセッサが、前記第２の通信接続をセットアップするための、前記無線周波数受信チャネル２上で受信された前記ページング要求に基づき、前記第２の通信接続が前記第２のＳＩＭカードに関係がある音声通話であるかどうかを判定するよう構成されることを含む。
【００４０】
第１乃至第３の可能な実施のうちいずれか１つを参照して、第４の可能な実施において、前記１つ以上のプロセッサは、前記第２の通信接続が前記第２のＳＩＭカードに関係がある音声通話であると決定するときに、前記第２の通信接続の着呼通知を与えるよう更に構成される。
【００４１】
第４の可能な実施を参照して、第５の可能な実施において、前記１つ以上のプロセッサが前記第２の通信接続の着呼通知を与える前に、前記無線周波数送信チャネル上で前記第２の通信接続のアップリンクデータパケットを送る優先度は、前記第１の通信接続のアップリンクデータパケットを送る優先度よりも高い。
【００４２】
第４の可能な実施又は第５の可能な実施を参照して、第６の可能な実施において、前記１つ以上のプロセッサが前記第２の通信接続の着呼通知を与えるときに、前記無線周波数送信チャネル上で前記第１の通信接続のアップリンクボイスパケットを送る優先度は、前記第２の通信接続のアップリンクシグナリングパケットを送る優先度よりも高い。
【００４３】
第４乃至第６の可能な実施のうちいずれか１つを参照して、第７の可能な実施において、前記１つ以上のプロセッサが前記第２の通信接続の着呼通知を与えた後に、前記１つ以上のプロセッサが前記第１の通信接続を終了し、前記第２の通信接続にあるときに、前記無線周波数送信チャネル上で前記第２の通信接続のアップリンクボイスパケットを送る優先度は、前記第１の通信接続のアップリンクネットワークアクセスデータパケットを送る優先度よりも高い。
【００４４】
第４の態様に従って、本願は、コンピュータ命令を含み、該コンピュータ命令が、ＤＲ−ＤＳＤＳに対応する端末で実行されるときに、該端末が、第１の態様又は第１の態様のいずれかの可能な実施に従ってデュアルカード・デュアルスタンバイ・デュアルパスを実装する通信方法を実行する、コンピュータ記憶媒体を提供する。
【００４５】
第５の態様に従って、本願は、コンピュータで実行されるときに、該コンピュータが、第１の態様又は第１の態様のいずれかの可能な実施に従ってデュアルカード・デュアルスタンバイ・デュアルパスを実装する通信方法を実行する、コンピュータプログラム製品を提供する。
【００４６】
本願の第２の態様、第２の態様のいずれかの可能な実施、及び第３の態様における端末、第４の態様におけるコンピュータ記憶媒体、並びに第５の態様におけるコンピュータプログラム製品は全て、上記の対応する方法を実行するよう構成される。従って、それによって達成され得る有利な効果については、上記の対応する方法における有利な効果を参照されたい。詳細は、ここで再びは記載されない。
【図面の簡単な説明】
【００４７】
【図１】本発明の実施形態に従う、ＤＲ−ＤＳＤＳに対応する端末の略構造図である。
【図２】本発明の実施形態に従ってデュアルカード・デュアルスタンバイ・デュアルパスを実装する通信方法の適用シナリオの例の概略図である。
【図３】本発明の実施形態に従う、ＬＴＥネットワークにおける、ＤＲ−ＤＳＤＳに対応する端末の略構造図である。
【図４】本発明の実施形態に従う携帯電話機のハードウェア構造の概略図である。
【図５】本発明の実施形態に従ってデュアルカード・デュアルスタンバイ・デュアルパスを実装する通信方法のフローチャート１である。
【図６】本発明の実施形態に従うｌｏｇの例の概略図１である。
【図７Ａ】本発明の実施形態に従うｌｏｇの例の概略図２である。
【図７Ｂ】本発明の実施形態に従うｌｏｇの例の概略図３である。
【図８Ａ】本発明の実施形態に従うｌｏｇの例の概略図４である。
【図８Ｂ】本発明の実施形態に従うｌｏｇの例の概略図５である。
【図９】本発明の実施形態における方法を端末が実行するときに表示される、本発明の実施形態に従うＧＵＩの概略図１である。
【図１０】本発明の実施形態に従ってデュアルカード・デュアルスタンバイ・デュアルパスを実装する通信方法のフローチャート２である。
【図１１】本発明の実施形態における方法を端末が実行するときに表示される、本発明の実施形態に従うＧＵＩの概略図２である。
【図１２】本発明の実施形態における方法を端末が実行するときに表示される、本発明の実施形態に従うＧＵＩの概略図３である。
【図１３】本発明の実施形態における方法を端末が実行するときに表示される、本発明の実施形態に従うＧＵＩの概略図４である。
【図１４】本発明の実施形態における方法を端末が実行するときに表示される、本発明の実施形態に従うＧＵＩの概略図５である。
【図１５Ａ】本発明の実施形態に従ってデュアルカード・デュアルスタンバイ・デュアルパスを実装する通信方法のフローチャート３である。
【図１５Ｂ】本発明の実施形態に従ってデュアルカード・デュアルスタンバイ・デュアルパスを実装する通信方法のフローチャート３である。
【図１６Ａ】本発明の実施形態に従ってデュアルカード・デュアルスタンバイ・デュアルパスを実装する通信方法のフローチャート４である。
【図１６Ｂ】本発明の実施形態に従ってデュアルカード・デュアルスタンバイ・デュアルパスを実装する通信方法のフローチャート４である。
【図１７Ａ】本発明の実施形態に従ってデュアルカード・デュアルスタンバイ・デュアルパスを実装する通信方法のフローチャート５である。
【図１７Ｂ】本発明の実施形態に従ってデュアルカード・デュアルスタンバイ・デュアルパスを実装する通信方法のフローチャート５である。
【図１８Ａ】本発明の実施形態に従ってデュアルカード・デュアルスタンバイ・デュアルパスを実装する通信方法のフローチャート６である。
【図１８Ｂ】本発明の実施形態に従ってデュアルカード・デュアルスタンバイ・デュアルパスを実装する通信方法のフローチャート６である。
【図１９Ａ】本発明の実施形態に従ってデュアルカード・デュアルスタンバイ・デュアルパスを実装する通信方法のフローチャート７である。
【図１９Ｂ】本発明の実施形態に従ってデュアルカード・デュアルスタンバイ・デュアルパスを実装する通信方法のフローチャート７である。
【図２０Ａ】本発明の実施形態に従ってデュアルカード・デュアルスタンバイ・デュアルパスを実装する通信方法のフローチャート８である。
【図２０Ｂ】本発明の実施形態に従ってデュアルカード・デュアルスタンバイ・デュアルパスを実装する通信方法のフローチャート８である。
【図２０Ｃ】本発明の実施形態に従ってデュアルカード・デュアルスタンバイ・デュアルパスを実装する通信方法のフローチャート８である。
【図２１Ａ】本発明の実施形態に従ってデュアルカード・デュアルスタンバイ・デュアルパスを実装する通信方法のフローチャート９である。
【図２１Ｂ】本発明の実施形態に従ってデュアルカード・デュアルスタンバイ・デュアルパスを実装する通信方法のフローチャート９である。
【図２１Ｃ】本発明の実施形態に従ってデュアルカード・デュアルスタンバイ・デュアルパスを実装する通信方法のフローチャート９である。
【図２２Ａ】本発明の実施形態に従ってデュアルカード・デュアルスタンバイ・デュアルパスを実装する通信方法のフローチャート１０である。
【図２２Ｂ】本発明の実施形態に従ってデュアルカード・デュアルスタンバイ・デュアルパスを実装する通信方法のフローチャート１０である。
【図２３】本発明の実施形態に従う端末の略構造図１である。
【図２４】本発明の実施形態に従う端末の略構造図２である。
【図２５】本発明の実施形態に従う端末の略構造図３である。
【図２６】本発明の実施形態に従う端末の略構造図４である。
【発明を実施するための形態】
【００４８】
本発明の実施形態は、デュアルカード・デュアルスタンバイ・デュアルパスを実装する通信方法を提供し、方法は、ＤＲ−ＤＳＤＳに対応する端末に適用され得る。２つのＳＩＭカード（第１のＳＩＭカード及び第２のＳＩＭカード）が端末に設置されてよく、１つの無線周波数送信（Ｔｘ）チャネル及び２つの無線周波数受信（Ｒｘ）チャネルが端末で設定される。端末における第１のＳＩＭカード及び第２のＳＩＭカードは、使用のために２つの無線周波数Ｒｘチャネルの１つを夫々占有し、時分割方式で端末の無線周波数Ｔｘチャネルを使用してよい。
【００４９】
図１は、本発明の実施形態に従う、ＤＲ−ＤＳＤＳに対応する端末の略構造図である。図１に示されるように、端末１００は、第１のＳＩＭカードインターフェイス１１０と、第２のＳＩＭカードインターフェイス１２０と、第１のＳＩＭカードインターフェイス１１０及び第２のＳＩＭカードインターフェイス１２０へ結合されているマネージャ１４０と、マネージャ１４０へ結合されているプロセッサ１３０と、プロセッサ１３０へ接続されているトランシーバ１５０とを含んでよい。プロセッサ１３０は、ベースバンド・プロセッサ（Base  Band  Processor，ＢＢＰ）であってよい。図１に示されるように、トランシーバ１５０は、無線周波数Ｒｘ１チャネルと、無線周波数Ｒｘ２チャネルと、無線周波数Ｔｘチャネルとを含む。
【００５０】
第１のＳＩＭカードインターフェイス１１０は、ＳＩＭカード１を入れるよう構成され、ＳＩＭカード１と通信し、第２のＳＩＭカードインターフェイス１２０は、ＳＩＭカード２を入れるよう構成され、ＳＩＭカード２と通信する。マネージャ１４０は、ＳＩＭカード１に関係があるアップリンクデータパケットと、ＳＩＭカード２に関係があるアップリンクデータパケットとを、プロセッサ１３０へ送信し得る。プロセッサ１３０は、無線周波数Ｔｘチャネル上でのＳＩＭカード１及びＳＩＭカード２のアップリンクデータパケットの伝送特性に基づき、アップリンクデータパケットを無線周波数Ｔｘチャネル上でネットワークデバイスへ送信し得る。
【００５１】
本発明のこの実施形態において、無線周波数Ｔｘチャネルは、Ｔｘ無線周波数リソース又はトランスミッタ（Transmitter）と呼ばれることがあり、無線周波数Ｒｘチャネルは、Ｒｘ無線周波数リソース又はレシーバ（Receiver）と呼ばれることがある点が留意されるべきである。
【００５２】
本発明のこの実施形態において、無線周波数Ｔｘチャネル及び無線周波数Ｒｘ１チャネルは、ＲＦ一次チャネルと呼ばれることがあり、無線周波数Ｒｘ２チャネルは、ＲＦ二次チャネルと呼ばれることがある。具体的に言えば、ＲＦ一次チャネルのアップリンク及びダウンリンクＲＦ成分（例えば、無線周波数Ｔｘチャネル及び無線周波数Ｒｘ１チャネル）は、多重化され、ＲＦ二次チャネルは、ダウンリンクＲＦ成分（例えば、ＲＦ  Ｒｘ２チャネル）しか有さない。
【００５３】
具体的に、本発明のこの実施形態で提供される、デュアルカード・デュアルスタンバイ・デュアルパスを実装する通信方法は、下記の事項に適用され得る：ＤＲ−ＤＳＤＳに対応する端末の１つのＳＩＭカード（例えば、第１のＳＩＭカード、すなわちＳＩＭカード１）が音声通話のためにＴｘ無線周波数リソースを占有する（すなわち、端末が第１の通信接続にある）ときに、他方のＳＩＭカード（例えば、第２のＳＩＭカード、すなわちＳＩＭカード２）がアクセスのためのボイスページング（paging）要求を有している（すなわち、端末が、第２の通信接続をセットアップするためのページング要求を受け取る）場合には、端末は、ボイスページング要求に応答して呼び鈴を鳴らし（ring）、ユーザのために第２のＳＩＭカードの音声通話サービスを提供する。第１の通信接続は、第１のＳＩＭカードに関係がある音声通話であり、第２の通信接続は、第２のＳＩＭカードに関係がある。
【００５４】
図２は、本発明の実施形態に従ってデュアルカード・デュアルスタンバイ・デュアルパスを実装する通信方法の適用シナリオの例の概略図である。図２に示されるユーザＡの端末２１０は、ＤＲ−ＤＳＤＳに対応する端末であってよく、２つのＳＩＭカード、すなわち、ＳＩＭカード１及びＳＩＭカード２が端末２１０に設置され得る。端末２１０のＳＩＭカード１は、端末２１０の一次カードであってよく、ＳＩＭカード２は、端末２１０の二次ＳＩＭカードであってよい。代替的に、端末２１０のＳＩＭカード２が端末２１０の一次カードであってもよく、ＳＩＭカード１は端末２１０の二次ＳＩＭカードであってよい。
【００５５】
ユーザＢが端末２１０のＳＩＭカード１へのボイスページング要求を開始するために端末２２０を使用した後、ユーザＡは、端末２２０を保持しているユーザＢとの音声通話を、端末２１０のＳＩＭカード１を使用することによって実行するために、端末２１０を使用してよい。図２に示されるように、ユーザＡが、端末２２０を保持しているユーザＢとの音声通話を、端末２１０のＳＩＭカード１を使用することによって実行するために、端末２１０を使用する過程において、ユーザＣは、端末２１０を保持しているユーザＡとの音声通話を、端末２１０のＳＩＭカード２を使用することによって実行することを要求するために、端末２３０を使用して端末２１０のＳＩＭカード２へのボイスページング要求を開始してもよい。
【００５６】
本発明の実施形態で提供される、デュアルカード・デュアルスタンバイ・デュアルパスを実装する通信方法は、上記の適用シナリオに適用されてよい。端末２２０の着呼要求が端末２１０へ接続される。すなわち、端末２１０は、ユーザＡ及びユーザＢの音声通話品質に対してそれほど大きな影響を及ぼさずに、ＳＩＭカード２の着呼通知を与え、それにより、ユーザＡは、「ＳＩＭカード２の着呼を断り、ＳＩＭカード１の音声通話を続ける」を選択すること、又は「ＳＩＭカード１の音声通話を切り、ＳＩＭカード２の音声通話を受ける」を選択すること、又は「ＳＩＭカード１の音声通話を保留し、ＳＩＭカード２の音声通話を受ける」を選択することができる。
【００５７】
例えば、本発明の実施形態における着呼通知は、次の通知方法；端末が呼び鈴を鳴らす，端末のユーザインターフェイスがユーザＣからの着呼を表示する，端末が振動する，端末のカメラのフラッシュが点滅する，などのうちの１つ以上を含み得る。
【００５８】
例えば、本発明の実施形態で提供される、ＤＲ−ＤＳＤＳに対応する端末の２つのＳＩＭカードの夫々は、グローバル・システム・フォー・モバイル・コミュニケーションズ（Global  System  for  Mobile  Communications，ＧＳＭ）標準、ユニバーサル・モバイル・テレコミュニケーションズ・システム（Universal  Mobile  Telecommunications  System，ＵＭＴＳ）標準、時分割同期符号分割多重アクセス（Time  Division-Synchronous  Code  Division  Multiple  Access，ＴＤ−ＳＣＤＭＡ）標準、ロング・ターム・エボリューション（Long  Term  Evolution，ＬＴＥ）標準、及び符号分割多重アクセス（Code  Division  Multiple  Access，ＣＤＭＡ）標準などの標準のうちいずれか１つに対応するＳＩＭカードであってよい。
【００５９】
例えば、図１又は図２に示される端末２１０のＳＩＭカード１及びＳＩＭカード２の両方が、ＬＴＥ標準に対応するＳＩＭカードであってよい。ＳＩＭカード１を使用することによって端末２１０によって行われる端末２２０との音声通信は、ＶｏＬＴＥ（Voice  over  LTE）サービスであってよい。ＳＩＭカード２を使用することによって端末２１０によって行われる端末２３０との音声通信は、ＶｏＬＴＥ（Voice  over  LTE）サービスであってよい。
【００６０】
代替的に、図１又は図２に示される端末２１０のＳＩＭカード１は、ＬＴＥ標準に対応するＳＩＭカードであってよく、ＳＩＭカード１を使用することによって端末２１０によって行われる端末２２０との音声通信は、ＶｏＬＴＥサービスであってよい。図１又は図２に示される端末２１０のＳＩＭカード２は、ＧＳＭ標準に対応するＳＩＭカードであってよく、ＳＩＭカード２を使用することによって端末２１０によって行われる端末２３０との音声通信は、回線交換（Circuit  Switched，ＣＳ）ドメインサービスであってよい。
【００６１】
代替的に、図１又は図２に示される端末２１０のＳＩＭカード１及びＳＩＭカード２の両方が、ＧＳＭ標準に対応するＳＩＭカードであってもよく、ＳＩＭカード１を使用することによって端末２１０によって行われる端末２２０との音声通信、及びＳＩＭカード２を使用することによって端末２１０によって行われる端末２３０との音声通信の両方が、ＣＳドメインサービスであってよい。
【００６２】
端末２１０のデータサービスは、ＳＩＭカード１上にあっても、又はＳＩＭカード２上にあってもよく、あるいは、端末２１０のデータサービス伝送は、端末２１０のＳＩＭカード１及びＳＩＭカード２の両方で行われてもよい。
【００６３】
図３は、本発明の実施形態に従う、ＬＴＥネットワークにおける、ＤＲ−ＤＳＤＳに対応する端末の略構造図である。図３に示されるように、端末３００は、第１のＳＩＭカードインターフェイス３１０と、第２のＳＩＭカードインターフェイス３２０と、第１のＳＩＭカードインターフェイス３１０及び第２のＳＩＭカードインターフェイス３２０へ結合されているマネージャ３４０と、マネージャ３４０へ結合されているＢＢＰ３３０（すなわち、プロセッサ）と、プロセッサ３３０へ接続されているトランシーバ３５０とを含んでよい。
【００６４】
図３に示されるように、トランシーバ３５０は、無線周波数Ｒｘ１チャネルと、無線周波数Ｒｘ２チャネルと、無線周波数Ｔｘチャネルとを含む。第１のＳＩＭカードインターフェイス３１０は、ＳＩＭカード１を入れるよう構成され、ＳＩＭカード１と通信し、第２のＳＩＭカードインターフェイス３２０は、ＳＩＭカード２を入れるよう構成され、ＳＩＭカード２と通信する。
【００６５】
ＢＢＰ３３０は、コモン・タイム・ユニット（Common  Time  Unit，ＣＴＵ）を含む。ＣＴＵは、アップリンクデータパケットの送信優先度を決定するよう構成されるアービタを含む
【００６６】
例において、ＬＴＥネットワークで、端末３００は、ハイブリッド自動再送要求（Hybrid  Automatic  Repeat  request，ＨＡＲＱ）プロトコルを使用することによってアップリンクデータパケットをネットワークデバイスへ送ってよい。このようにして、ＳＩＭカード（例えば、ＳＩＭカード２）の、マネージャ３４０によってＢＢＰ３３０へ送られたアップリンクデータパケットが、時間内に送信されない場合でさえ、アップリンクデータパケットは、ＨＡＲＱプロトコルに従って再送され得る。
【００６７】
図３に示されるように、マネージャ３４０は、ＨＡＲＱプロトコルを使用することによってＳＩＭカード１及びＳＩＭカード２の無線リンク制御（Radio  Link  Control，ＲＬＣ）キューにおいてアップリンクデータパケット（prio）を送ってよい。ＢＢＰ３３０は、ＳＩＭカード１によって送られたアップリンクボイスパケット、及びＳＩＭカード２によって送られたアップリンクシグナリングパケットなどの、マネージャ３４０によって送られた様々なデータパケットを受信し得る。ＢＢＰ３３０は、無線周波数Ｔｘチャネル上でのアップリンクデータパケットの送信優先度に基づき、アップリンクデータパケットをネットワークデバイスへ送るよう無線周波数Ｔｘチャネルを占有する。
【００６８】
例えば、本発明の実施形態における、ＤＲ−ＤＳＤＳに対応する端末は、少なくとも２つのＳＩＭカードが設置され得る通信デバイスであってよく、少なくとも２つのＳＩＭカードのうちのいずれか一方は、他の通信端末と音声通信を行うために使用され得る。例えば、端末は、デュアルカード・デュアルスタンバイ携帯電話機であっても、あるいは、２つのＳＩＭカードが設置され得るスマートバンド、スマートウォッチ、又はタブレットコンピュータ、などであってもよい。本発明のこの実施形態における端末の具体的な形態に対しては特別な制限は課されない。
【００６９】
以下の実施形態では、ＤＲ−ＤＳＤＳに対応する端末が実施形態における具体的な技術的解決法を如何にして実装するかを説明するために、携帯電話機が一例として使用される。図４に示されるように、この実施形態の端末は、携帯電話機４００であってよい。下記は、この実施形態について詳細に記載するための一例として携帯電話機４００を使用する。
【００７０】
図示される携帯電話機４００は、ＤＲ−ＤＳＤＳに対応する端末の例にすぎず、携帯電話機４００は、図示されているよりも多い又は少ない構成要素を有しても、あるいは、２つ以上の構成要素の組み合わせを有しても、あるいは、異なる構成要素配置を有してもよいことが理解されるべきである。図４に示される様々な構成要素は、１つ以上の信号処理回路及び／又は特定用途向け集積回路を含むハードウェア、ソフトウェア、あるいは、それらの組み合わせにおいて実装されてよい。
【００７１】
図４に示されるように、携帯電話機４００は、プロセッサ４１０、システム・オン・チップデバイス４２０、ディスプレイコントローラ４３０、コーデック（CODEC）４４０、マネージャ４５０、メモリ４６０、入力デバイス４７０、モデム４８０、トランシーバ４９０、電源４９１、などを含む。
【００７２】
当業者は、図４に示される携帯電話機の構造が携帯電話機に対する制限を構成せず、携帯電話機の構造が図示されるよりも多い又は少ない構成要素を含んでも、あるいは、いくつかの構成要素の組み合わせを有しても、あるいは、異なる構成要素配置を有してもよいと理解し得る。
【００７３】
図４に示されるように、携帯電話機４００は、第１のＳＩＭカードインターフェイス４５１及び第２のＳＩＭカードインターフェイス４５２を更に含んでもよい。第１のＳＩＭカードインターフェイス４５１は、ＳＩＭカード１  ４５３と通信するよう構成され、第２のＳＩＭカードインターフェイス４５２は、ＳＩＭカード２  ４５４と通信するよう構成される。例えば、第１のＳＩＭカードインターフェイス４５１及び第２のＳＩＭカードインターフェイス４５２は、ＳＩＭカードコネクタであってよい。ＳＩＭカードコネクタは、ＳＩＭカードを収容することができる空間を備えた本体と、受容されたＳＩＭカードの導電端子を受けるよう構成された複数の接続スロットとを含む。ＳＩＭカードとの電気シグナリング通信は、導電端子及びスロットを使用することによって行われ得る。例となるインターフェイスには、シリアル又はパラレル（例えば、６ピン又は８ピン）コネクタが含まれ得る。その上、複数のＳＩＭカードサイズ（例えば、標準ＳＩＭ、マイクロＳＩＭ、又はナノＳＩＭ）が提供され得る。他の実施形態では、複数のサブクリプションがユニバーサル識別モジュール（例えば、ユニバーサルＳＩＭ）に関連する場合に、携帯電話機４００は複数のＳＩＭカードを含まなくてもよい。マネージャ４５０は、ＳＩＭカード１  ４５３及びＳＩＭカード２  ４５４を管理するよう構成される。
【００７４】
図４に示されるように、携帯電話機４００は、コーデック（codec）４４０へ結合されているスピーカ４４１及びマイクロホン４４２を更に含んでもよい。図４は、マネージャ４５０がプロセッサ４１０へ結合されるとともに、トランシーバ４９０と通信するモデム４８０へ結合され得ることを更に示す。トランシーバ４９０は、１つ以上のアンテナへ接続されている。図４は、単に、１つのアンテナの例を示す。
【００７５】
具体的な実施形態において、トランシーバ４９０は複数のアンテナへ接続され、モデム４８０はダイバーシティに対応し、複数のアンテナの中の１つが一次アンテナであり、他のアンテナが二次アンテナである。
【００７６】
トランシーバ４９０はＲＦ回路であってよく、ＲＦ回路は、情報受信／送信プロセス又は呼び出しプロセスにおいて信号を受信又は送信するよう構成されてよい。ＲＦ回路は、基地局のダウンリンク情報を受信し、次いで、ダウンリンク情報を処理のためにプロセッサ４１０へ送信し、そして、関連するアップリンクデータを基地局へ送信してよい。一般に、ＲＦ回路は、アンテナ、少なくとも１つの増幅器、トランシーバ、カプラ、低雑音増幅器、及びデュプレクサなどのデバイスを含むがこれらに限られない。その上、ＲＦ回路は、無線通信を通じてネットワーク及び他のモバイルデバイスと更に通信してもよい。如何なる通信標準又はプロトコルも無線通信のために使用されてよく、グローバル・システム・フォー・モバイル・コミュニケーションズ、汎用パケット無線サービス、符号分割多重アクセス、広帯域符号分割多重アクセス、ロング・ターム・エボリューション、電子メール、ショート・メッセージ・サービス、などを含むがこれらに限られない。本発明のこの実施形態において、図４に示されるトランシーバ４９０は、２つの無線周波数Ｒｘチャネル及び１つの無線周波数Ｔｘチャネル（図４に示される無線周波数Ｔｘチャネル、無線周波数Ｒｘ１チャネル、及び無線周波数Ｒｘ２チャネル）を含んでよい。
【００７７】
メモリ４６０は、ソフトウェアプログラム及びデータを記憶するよう構成され得る。プロセッサ４１０は、メモリ４６０に記憶されているソフトウェアプログラム及びデータを実行することによって、携帯電話機４００の様々な機能及びデータ処理を実行する。例えば、図４に示されるように、メモリ４６０は、命令４６１及び送信優先度情報４６２を記憶し、命令４６１は、プロセッサ４１０によって実行され得る。例えば、命令４６１は、モデム４８０の一次信号入力端でＳＩＭカード１  ４５３に関係がある通信データを受信するよう、プロセッサ４１０によって実行され得る命令を含んでよい。「ＳＩＭカード１  ４５３に関係がある通信データ」は、トランシーバ４９０の一次ＲＦ経路、すなわち、Ｒｘ１、を通ってモデム４８０の一次信号入力端（図４に図示せず。）へ送られ得る。命令４６１は、モデム４８０の二次信号入力端でＳＩＭカード２  ４５４に関係がある通信データを受信するよう、プロセッサ４１０によって実行され得る命令を含む。「ＳＩＭカード２  ４５４に関係がある通信データ」は、トランシーバ４９０の二次ＲＦ経路、すなわち、Ｒｘ２、を通ってモデム４８０の二次信号入力端（図４に図示せず。）へ送られ得る。
【００７８】
メモリ４６０は、プログラムデータ記憶領域及びデータ記憶領域を主に含み得る。プログラム記憶領域は、オペレーティングシステム、少なくとも１つの機能（例えば、音響再生機能又は画像再生機能）によって必要とされるアプリケーション、などを記憶し得る。データ記憶領域は、携帯電話機４００の使用に基づき生成されるデータ（例えば、オーディオデータ又は電話帳）、などを記憶し得る。その上、メモリ４６０は、高速ランダム・アクセス・メモリを含んでよく、更には、不揮発性メモリ、例えば、少なくとも１つの磁気ディスク記憶デバイス、フラッシュメモリ、又は他の揮発性ソリッドステート記憶デバイスを含んでよい。以下の実施形態では、メモリ４６０は、携帯電話機４００が実行することを可能にするオペレーティングシステム、例えば、アップル社によって開発されたｉＯＳ（登録商標）オペレーティングシステム、グーグルＬＬＣによって開発されたＡｎｄｒｏｉｄ（登録商標）オープンソースオペレーティングシステム、又はマイクロソフト／コーポレーションによって開発されたＷｉｎｄｏｗｓ（登録商標）オペレーティングシステムを記憶する。
【００７９】
入力デバイス４７０（例えば、タッチスクリーン）は、入力された数字又は文字情報を受け、携帯電話機４００のユーザ設定及び機能制御に関連した信号入力を生成するよう構成されてよい。具体的に、入力デバイス４７０は、携帯電話機４００の前部に配置されたタッチパネルを含んでよく、タッチパネルは、タッチパネル上又はその近くでタッチ操作（例えば、指又はスライスなどの任意の適切な物又はアクセサリを使用することによってユーザによってタッチパネル上又はその近くで行われる操作）を収集し、前もってセットされたプログラムに基づき対応する接続装置を駆動し得る。任意に、タッチパネルは、２つの部分、すなわち、タッチ検出装置及びタッチコントローラ、を含んでよい。タッチ検出装置は、ユーザのタッチ方向及び値を検出し、タッチ操作から生じる信号を検出し、信号をタッチコントローラへ送る。タッチコントローラは、タッチ検出装置からタッチ情報を受け、タッチ情報をタッチ座標に変換し、タッチ座標をプロセッサ４１０へ送る。その上、タッチコントローラは、プロセッサ４１０によって送られた命令を受け実行することができる。その上、タッチパネルは、抵抗型、容量型、赤外線型、及び表面弾性波型などの複数のタイプで実装されてよい。
【００８０】
ディスプレイ４３１（すなわち、表示画面）は、ユーザによって入力された情報又はユーザへ提供される情報、及び携帯電話機４００の様々なメニューのグラフィカル・ユーザ・インターフェイス（Graphical  User  Interface，ＧＵＩ）を表示するよう構成され得る。ディスプレイ４３１は、携帯電話機４００の前部に配置された表示パネルを含んでよい。表示パネルは、液晶ディスプレイ、発光ダイオード、などの形で構成されてよい。
【００８１】
タッチパネル上又はその近くでタッチ操作を検出した後に、タッチパネルは、タッチ事象を決定するためにタッチ操作に関する情報をプロセッサ４１０へ送信する。その後に、プロセッサ４１０は、タッチ事象の種類に基づき表示パネル上で対応する視覚出力を供給する。図４では、タッチパネル及び表示パネルは、携帯電話機４００の入力及び出力機能を実装する２つの独立した構成要素である。しかし、いくつかの実施形態では、タッチパネル及び表示パネルは、携帯電話機４００の入力及び出力機能を実装するよう一体化されてもよい。一体化されたタッチパネル及び表示パネルは、簡単にタッチディスプレイと呼ばれ得る。
【００８２】
いくつかの他の実施形態では、圧力センサがタッチパネル上に更に配置されてもよく、それにより、ユーザがタッチパネル上でタッチ操作を行うときに、タッチパネルはタッチ操作の圧力を更に検出することができ、携帯電話機４００はより正確にタッチ操作を検出することができる。
【００８３】
携帯電話機４００は、光センサ、動きセンサ、又は他のセンサなどの、少なくとも１つのセンサ４４３を更に含んでもよい。具体的に、光センサには、周囲光センサ及び近接センサが含まれ得る。周囲光センサは、周囲光の強さに基づき表示パネルの輝度を調整し得る。近接センサは、携帯電話機４００の前部に配置される。携帯電話機４００が耳に近づくときに、携帯電話機４００は、近接センサの検出に基づき表示パネルの電源をオフし、それにより、携帯電話機４００はバッテリ電力消費を更に減らすことができる。動きセンサの一種として、加速度センサは、複数方向（通常は３軸）において加速度の値を検出することができ、携帯電話機４００が静止しているときには重力の値及び方向を検出することができる。加速度センサは、携帯電話機の姿勢を識別する用途（例えば、横向きと縦向きとで切り替わる画面、関連するゲーム、及び磁気計姿勢較正）、振動識別に関する機能（例えば、ペドメータ及びストローク）、などのために使用されてよい。ジャイロスコープ、バロメータ、湿度計、温度計、又は赤外線センサなどの他のセンサが携帯電話機４００に更に配置されてもよい。詳細は、ここでは記載されない。
【００８４】
コーデック４４０、スピーカ４４１、及びマイクロホン４４２は、ユーザと携帯電話機４００との間のオーディオインターフェイスを提供することができる。コーデック４４０は、受け取られたオーディオデータから変換される電気信号をスピーカ４４１へ送信してよく、スピーカ４４１は、電気信号を音響信号に変換し、音響信号を出力する。その上、マイクロホン４４２は、収集された音響信号を電気信号に変換し、コーデック４４０は電気信号を受信し、電気信号をオーディオデータに変換し、それから、オーディオデータを例えば他の携帯電話機へ送るために、又は更なる処理のためにオーディオデータをメモリ４６０に出力するために、オーディオデータをＲＦ回路４１０へ出力する。
【００８５】
プロセッサ４１０は、携帯電話機４００のコントロールセンタであり、携帯電話機全体の様々な部分を様々なインターフェイス及び回線を通じて接続し、メモリ４６０に記憶されているソフトウェアプログラムを起動又は実行することと、メモリ４６０に記憶されているデータを呼び出すこととによって、携帯電話機４００の様々な機能及びデータ処理を実行して、携帯電話機に対する全体的なモニタリングを行う。いくつかの実施形態において、プロセッサ４１０は１つ以上の処理ユニットを含んでよい。プロセッサ４１０は更に、アプリケーションプロセッサ及びモデムプロセッサと一体化されてもよい。アプリケーションプロセッサは、オペレーティングシステム、ユーザインターフェイス、アプリケーション、などを主に処理する。モデムプロセッサは、無線通信を主に処理する。代替的に、モデムプロセッサは、プロセッサ４１０に組み込まれなくてもよいことが理解され得る。
【００８６】
携帯電話機４００は、ブルートゥースモジュール及びＷｉ−Ｆｉモジュールを更に含んでもよい。ブルートゥースモジュールは、ブルートゥースなどの短距離通信プロトコルを使用することによって他のデバイスと情報を交換するよう構成される。例えば、携帯電話機４００は、ブルートゥースモジュールを使用することによって、同じくブルートゥースモジュールを有している他の装着型電気デバイス（例えば、スマートウォッチ）へのブルートゥース接続をセットアップして、情報を交換し得る。Ｗｉ−Ｆｉは、短距離無線通信技術に属し、携帯電話機４００は、ユーザが電子メールを受信及び送信すること、ウェブページを閲覧すること、ストリーミング媒体にアクセスすること、などを助けるために、Ｗｉ−Ｆｉモジュールを使用することができる。Ｗｉ−Ｆｉモジュールは、無線ブロードバンドインターネットアクセスをユーザに提供する。
【００８７】
携帯電話機４００は、電力を部分に供給する電源４９１（例えば、バッテリ）を更に含む。電源は、充電管理、放電管理及び電力消費管理などの機能を電源管理システムを通じて実装するために、電源管理システムを通じてプロセッサ４１０へ論理的に接続されてよい。以下の実施形態では、電源４９１は、電力を表示パネル及びタッチパネルへ供給するよう構成され得ることが理解され得る。以下の実施形態における方法は全て、上記のハードウェア構造を備える携帯電話機４００において実装可能である。
【００８８】
本発明の実施形態における技術用語は、本発明のこの実施形態において本明細書中で説明及び記載される。
【００８９】
端末のＳＩＭカード１（以下「コールカード」と呼ばれる。）が音声通信を実行し、ＳＩＭカード２（以下「アクセスカード」と呼ばれる。）がスタンバイ状態にあるときに、端末の無線周波数Ｔｘチャネル上で送信されるデータパケットは、コールカードのシグナリングパケット、コールカードのボイスパケット、コールカードのスケジューリング要求（Scheduling  Request，ＳＲ）パケット、コールカードのアクノリッジメント（Acknowledgement，ＡＣＫ）パケット、コールカードのヌルパケット、コールカードのチャネル品質インジケータ（Channel  Quality  Indicator，ＣＱＩ）パケット、コールカードのサウンディング基準信号（Sounding  Reference  Signal，ＳＲＳ）パケット、コールカードのサービスデータパケット、などを含んでよい。
【００９０】
例えば、コールカードのシグナリングパケットは、コールカードの音声通信プロセスにおいてネットワークデバイスへ送られる必要があり、音声通信をサポートするために使用され、プロトコルシグナリングを搬送するデータパケットであってよい。コールカードのボイスパケットは、ボイスデータを搬送するデータパケットであり、コールカードが呼び出し状態にあるときに端末によってネットワークデバイスへ送られる。コールカードＡＣＫパケットは、アクノリッジメントメッセージを搬送するデータパケットであり、ネットワークデバイスによって送られたシグナリングを端末が受信した後にネットワークデバイスへ返答される。コールカードのサービスデータパケットは、コールカードのネットワークアクセスデータサービスパケットである。例えば、コールカードのサービスデータパケットは、ユーザがビデオを観るために端末を使用するときにコールカードのデータトラフィックを使用することによってダウンロードされるビデオストリーミング媒体データパケットであってよい。
【００９１】
端末のＳＩＭカード１（以下「コールカード」と呼ばれる。）が呼び出し状態にあり、端末がＳＩＭカード２（以下「アクセスカード」と呼ばれる。）に対するボイスページング（paging）要求を受け取り、ボイスページング要求に応答するときに、端末の無線周波数Ｔｘチャネル上で送信されるデータパケットは、アクセスカードのシグナリングパケット、アクセスカードのヌルパケット、アクセスカードのＣＱＩパケット、アクセスカードのＳＲＳパケット、などを含んでよい。
【００９２】
例えば、アクセスカードのシグナリングパケットは、プロトコルシグナリングを搬送し、アクセスカードに対するページング要求に応答して端末によってネットワークデバイスへ送られるデータパケット、又はアクセスカードがネットワークデバイスへのＲＲＣ接続をセットアップするときにネットワークデバイスへ送られるＲＲＣシグナリングを含んでよい。代替的に、アクセスカードのシグナリングパケットは、アクセスカードがネットワークデバイスへのＲＲＣ接続をセットアップした後にネットワークデバイスへ送られるＳＩＰシグナリングであってよい。
【００９３】
本発明のいくつかの実施形態において、コールカードのヌルパケット、ＣＱＩパケット、及びＳＲＳパケットは、コールカードの低優先パケットと総称され、アクセスカードのヌルパケット、ＣＱＩパケット、及びＳＲＳパケットは、アクセスカードの低優先パケットと総称され、コールカードの低優先パケット及びアクセスカードの低優先パケットは、２つのカードの低優先パケットと総称される。コールカード又はアクセスカードのヌルパケットは、非サービスデータ、例えば、心拍パケットを搬送するデータパケットであってよい。
【００９４】
本発明のいくつかの実施形態において、コールカードのシグナリングパケット、ボイスパケット、ＡＣＫパケット、ネットワークアクセスデータサービスパケット、及びＳＲパケットは、コールカードの高優先パケットと総称され、アクセスカードのシグナリングパケット、ＡＣＫパケット、ネットワークアクセスデータサービスパケット、及びＳＲパケットは、アクセスカードの高優先パケットと総称され、コールカードの高優先パケット及びアクセスカードの高優先パケットは、２つのカードの高優先パケットと総称される。
【００９５】
本発明のこの実施形態において、コールカードは、音声通話プロセスにあるＳＩＭカードであり、アクセスカードは、コールカードが音声通話プロセスにあるときにページング要求を受け取るＳＩＭカードである点が留意されるべきである。
【００９６】
本発明のこの実施形態において、端末のＳＩＭカード１（すなわち、「コールカード」）が音声通信を行うときに、端末は第１の通信接続にあり、第１の通信接続は，ＳＩＭカード１に関係がある音声通話である。ＳＩＭカード２に対するページング要求は、第２の通信接続をセットアップするためのページング要求であり、第２の通信接続は、ＳＩＭカード２に関係がある。ＳＩＭカード２に対するページング要求は、ボイスページング要求であっても、あるいは、他のサービスのページング要求であってもよい。例えば、ＳＩＭカード２に対するページング要求は、ショート・メッセージ・サービスのページング要求であってよい。
【００９７】
例えば、図２に示される適用シナリオが、本発明の実施形態で提供される、デュアルカード・デュアルスタンバイ・デュアルパスを実装する通信方法について詳細に説明するために、本願の明細書で一例として使用される。図５に示されるように、本発明のこの実施形態で提供される、デュアルカード・デュアルスタンバイ・デュアルパスを実装する通信方法は、次の通りである。
【００９８】
Ｓ５０１．端末２１０が、ＳＩＭカード１を使用することによって端末２２０との音声通信を行う。
【００９９】
端末２１０がＳＩＭカード１を使用することによって端末２２０との音声通信を行う（すなわち、端末２１０が第１の通信接続にある）過程で、端末２１０のＳＩＭカード１は呼び出し状態にあり、端末２１０は第１の通信接続のボイスパケットをネットワークデバイスへ送る。従って、端末２１０のＳＩＭカード１は、プロセッサを使用することによって端末２１０のＴｘ無線周波数リソース（すなわち、無線周波数Ｔｘチャネル）を占有する。
【０１００】
Ｓ５０２．端末２３０が、端末２１０のＳＩＭカード２への呼び出し要求を開始する。
【０１０１】
図２に示されるように、端末２３０は、端末２３０が位置しているセルを提供する基地局２３１に対して、端末２１０のＳＩＭカード２を呼び出す呼び出し要求を送ってよい。呼び出し要求を受け取った後に、基地局２３１は、呼び出された端末（すなわち、端末２１０のＳＩＭカード２）にページングするようにコアネットワークデバイスに求めてよい。コアネットワークデバイスは、端末２１０のＳＩＭカード２にページングするために、ページング（paging）要求を送るように基地局１１２に指示する。コアネットワークデバイスは、モビリティ管理エンティティ（Mobility  Management  Entity，ＭＭＥ）であってよい。
【０１０２】
Ｓ５０３：端末２１０が、ＳＩＭカード２に対する、呼び出し要求によってトリガされたページング（paging）要求を受け取る。
【０１０３】
ＳＩＭカード２に対する呼び出し要求は、具体的に、第２の通信接続をセットアップするためのページング要求であり、第２の通信接続は、ＳＩＭカード２に関係がある。
【０１０４】
端末２１０によってＳＩＭカード１を使用することによって行われる端末２２０との音声通信は、端末２１０の無線周波数Ｒｘチャネルを占有する。端末２１０は、ＳＩＭカード２に対するページング要求を、無線周波数Ｒｘ２チャネルを通じて受け取ってよい。
【０１０５】
一般に、ページング要求を受け取った後に、端末は、ネットワークデバイスへのＲＲＣ接続をセットアップし、ページング要求に対応するサービスを実行するために、ページング要求に応答してＲＲＣシグナリングをネットワークデバイスへ送ってよい。しかし、「端末２１０のＳＩＭカード１が呼び出し状態にあるときに、端末２１０がＳＩＭカード２に対するページング要求を受け取る」シナリオでは、端末２１０がページング要求に応答してＲＲＣシグナリングをネットワークデバイスへ送るために無線周波数Ｔｘチャネルを占有する場合には、ＲＲＣシグナリングが無線周波数Ｔｘチャネルを占有して、コールカード（ＳＩＭカード１）の音声通信品質に影響を及ぼすので、端末２１０のＳＩＭカード１の送信されるべきボイスパケットの送信は遅延される。
【０１０６】
しかし、端末２１０がＳＩＭカード１の音声サービスを実行する過程で、端末は、ＳＩＭカード１のボイスパケットを送るために無線周波数Ｔｘチャネルを常に占有するわけではない。すなわち、ＳＩＭカード１が呼び出し状態にあるときに、端末２１０は、いくつかのアイドル期間においては無線周波数Ｔｘチャネル上でＳＩＭカード１のボイスパケットを送信しない。例えば、各サブフレームにおいて時間（簡単に、アイドル期間と呼ばれる。）が存在し、アイドル期間においては、端末２１０は、無線周波数Ｔｘチャネル上でＳＩＭカード１のボイスパケットを送信しない。
【０１０７】
例えば、時分割複信（Time  Division  Duplexing，ＴＤＤ）ＬＴＥネットワークが、本発明のこの実施形態においてここで一例として使用される。表１は、ＴＤＤ−ＬＴＥネットワークにおけるアップリンク−ダウンリンクスロット構成の例を示す。
【表１】
0006915079.tif 000002
【０１０８】
表１に示されるように、ＴＤＤ−ＬＴＥネットワークは、７つのアップリンク−ダウンリンクスロット構成（Uplink-Downlink  Configuration，ＵＬ−ＤＬ  Ｃｏｎｆｉｇｕｒａｔｉｏｎ）を含み得る。表１に示される７つのＵＬ−ＤＬ  Ｃｏｎｆｉｇｕｒａｔｉｏｎにおいて、ＵＬ−ＤＬ（０）、ＵＬ−ＤＬ（１）、ＵＬ−ＤＬ（２）、及びＵＬ−ＤＬ（６）のアップリンクからダウンリンクへのサブフレームのスイッチポイント周期性は５ｍｓであり、ＵＬ−ＤＬ（３）、ＵＬ−ＤＬ（４）及びＵＬ−ＤＬ（５）におけるアップリンクからダウンリンクへのサブフレームのスイッチポイント周期性（Switch-point  periodicity）は１０ｍｓである。表１中の「Ｕ」は、アップリンクデータ（例えば、アップリンクボイスパケット）を送信するためのスロットを示すために使用され、「Ｄ」は、ダウンリンクデータを送信するためのスロットを示すために使用される。
【０１０９】
表１に示される７つのアップリンク−ダウンリンクスロット構成から明らかなように、アップリンクデータ（例えば、アップリンクボイスパケット）は、１つのサブフレーム内でいくつかのスロット（すなわち、アップリンクスロット「Ｕ」）においてしか送信されず、アップリンクデータ（例えば、アップリンクボイスパケット）は、他のスロットにおいては送信されない。例えば、ＵＬ−ＤＬ（２）では、スロット２及びスロット７しか、アップリンクデータ（例えば、アップリンクボイスパケット）を送信するために使用されず、他のスロットは、アップリンクデータを送信するために使用されない。
【０１１０】
各サブフレームにおいて時間（簡単に、アイドル期間と呼ばれる。）が存在し、アイドル期間においては、ＳＩＭカード１は、無線周波数Ｔｘチャネル上でアップリンクボイスパケットを送信しないことが分かる。従って、アイドル期間では、端末２１０のＳＩＭカード２が、ページング要求に応答してネットワークデバイスと相互作用するために、端末２１０の無線周波数Ｔｘチャネルを使用し、無線リソース制御（Radio  Resource  Control，ＲＲＣ）接続をセットアップする場合でさえ、端末２１０のＳＩＭカード１と端２２０との間の音声通信の品質は影響を及ぼされない。
【０１１１】
従って、端末２１０によってページング要求に応答することによって引き起こされるコールカード（ＳＩＭカード１）の音声通話品質への影響を回避するために、本発明のこの実施形態では、端末２１０は、ＳＩＭカード１のボイスパケットを送信しないときにページング要求に応答し得る。
【０１１２】
Ｓ５０４．端末２１０がＳＩＭカード２に対するページング（paging）要求を受け取るときに、端末２１０がＳＩＭカード１の送信されるべきボイスパケットを有している場合には、端末２１０は、ＳＩＭカード２に対するページング要求に応答することを遅延させる。
【０１１３】
端末２１０がＳＩＭカード１の送信されるべきボイスパケットを有していることは、具体的に、端末２１０が第１の通信接続にあり、端末２１０が第１の通信接続のボイスパケットを有していることである。
【０１１４】
例えば、端末２１０のログｌｏｇは、ＳＩＭカード１及びＳＩＭカード２によって送信及び受信されるデータパケットに関する情報を記録してよい。例えば、ログｌｏｇは、ＳＩＭ１に関係がある全てのアップリンクデータパケットのタイプ、ＳＩＭカード名、バイト数、などを記録する。
【０１１５】
図６は、本発明の実施形態に従って、ＳＩＭカードによって送信されるデータパケットに関する、ログｌｏｇに記憶される情報の例を示す。図６に示されるように、ＳＩＭカード１は呼び出し状態にあり（すなわち、端末は第１の通信接続にあり）、第１の通信接続のボイスパケットはボイスパケットＹ０、ボイスパケットＹ１、ボイスパケットＹ２、ボイスパケットＹ３、及びボイスパケットＹ４を含んでよいと仮定される。ボイスパケットＹ０、ボイスパケットＹ１、ボイスパケットＹ２、ボイスパケットＹ３、及びボイスパケットＹ４は、Ｔ０時点、Ｔ１時点、Ｔ２時点、Ｔ３時点、及びＴ４時点で順次送信されると推定される。
【０１１６】
いくつかの実施形態において、表１を参照して、端末は、ＳＩＭカード１及びＳＩＭカード２の音声通信を実行するために、表１に示されるＵＬ−ＤＬ（２）スロット構成を使用すると仮定される。図７Ａに示されるように、周期２のダウンリンクスロット“９−Ｄ”（すなわち、Ｔ７時点）において、端末は、無線周波数Ｒｘ２チャネル上でＳＩＭカード２に対するページング要求（すなわち、第２の通信接続をセットアップするためのページング要求）を受ける。
【０１１７】
ＳＩＭカード１が呼び出し状態にあるときに、端末２１０がＳＩＭカード２に対するページング要求を受け取る場合には、図７Ａに示されるように、端末２１０は、ページング要求に応答してシグナリングパケットＸ０及びシグナリングパケットＸ１（例えば、ＲＲＣシグナリングパケット）を送信してよい点が留意されるべきである。
【０１１８】
一般に、ＳＩＭカード１のボイスパケットが無線周波数Ｔｘチャネル上で送信されるかどうかにかかわらず、ページング要求を受け取った後に、端末２１０は、ページング要求に即座に応答して無線周波数Ｔｘチャネル上でシグナリングパケットＸ０及びシグナリングパケットＸ１を送信してよい。例えば、図７Ａにおいて“Ｔｘ（１）”で示されるように、Ｔ７時点でＳＩＭカード２に対するページング要求を受け取った後に、端末は、ページング要求に即座に応答して、次のアップリンクスロット（すなわち、周期３のスロット“２−Ｕ”、Ｔ３時点）でシグナリングパケットＸ０を送信し、次のアップリンクスロット（すなわち、周期４のスロット“７−Ｕ”、Ｔ４時点）でシグナリングパケットＸ１を送信してよい。その後に、端末２１０は、周期５のスロット“２−Ｕ”（Ｔ５時点）でボイスパケットＹ３を送信し、周期６のスロット“７−Ｕ”（Ｔ６時点）でボイスパケットＹ４を送信してよい。すなわち、端末は、Ｔ０時点、Ｔ１時点、Ｔ２時点、Ｔ３時点、Ｔ４時点、Ｔ５時点、及びＴ６時点で順次にボイスパケットＹ０、ボイスパケットＹ１、ボイスパケットＹ２、シグナリングパケットＸ０、シグナリングパケットＸ１、ボイスパケットＹ３、及びボイスパケットＹ４を送信するよう無線周波数Ｔｘチャネルを占有してよい。
【０１１９】
しかし、ＳＩＭカード１が呼び出し状態にあるときに、端末２１０がＳＩＭカード２に対するページング要求を受け取り、端末２１０がページング要求に即座に応答してシグナリングパケットＸ０及びシグナリングパケットＸ１をネットワークデバイスへ送信するよう無線周波数Ｔｘチャネルを占有する場合には、ＳＩＭカード１のボイスパケットの送信は遅延され、ＳＩＭカード１の音声通信品質は影響を及ぼされる。
【０１２０】
ＳＩＭカード１の音声通信品質を確保するよう、本発明のこの実施形態において、端末２１０は、ＳＩＭカード１のボイスパケットを送信する（すなわち、端末２１０が第１の通信接続の送信されるべきボイスパケットを有している）ときに、ページング要求に応答することを遅延させてよい。例えば、図７Ａにおいて“Ｔｘ（２）”で示されるように、Ｔ７時点でＳＩＭカード２に対するページング要求を受け取った後に、端末は、ページング要求に応答することを遅延させてよい。図７Ａにおいて“Ｔｘ（２）”で示されるように、端末は、次のアップリンクスロット（すなわち、周期３のスロット“２−Ｕ”、Ｔ３時点）でボイスパケットＹ３を送信し、次のアップリンクスロット（すなわち、周期４のスロット“７−Ｕ”、Ｔ４時点）でボイスパケットＹ４を送信してよい。その後に、端末２１０は、周期５のスロット“２−Ｕ”（すなわち、Ｔ７時点と比較してΔＴ遅延されているＴ５時点）でシグナリングパケットＸ０を送信し、周期６のスロット“７−Ｕ”（Ｔ６時点）でシグナリングパケットＸ１を送信してよい。換言すれば、端末は、Ｔ０時点、Ｔ１時点、Ｔ２時点、Ｔ３時点、Ｔ４時点、Ｔ５時点、及びＴ６時点で順次にボイスパケットＹ０、ボイスパケットＹ１、ボイスパケットＹ２、ボイスパケットＹ３、ボイスパケットＹ４、シグナリングパケットＸ０、及びシグナリングパケットＸ１を送信するよう無線周波数Ｔｘチャネルを占有してよい。
【０１２１】
いくつかの他の実施形態では、端末は、ＳＩＭカード１の音声通信を実行するために表１に示されるＵＬ−ＤＬ（２）スロット構成を使用し、ＳＩＭカード２の音声通信を実行するために表１に示されるＵＬ−ＤＬ（１）スロット構成を使用すると仮定される。
【０１２２】
一般に、ＳＩＭカード１のボイスパケットが無線周波数Ｔｘチャネル上で送信されるかどうかにかかわらず、ページング要求を受け取った後に、端末２１０は、ページング要求に即座に応答して無線周波数Ｔｘチャネル上でシグナリングパケットＸ０及びシグナリングパケットＸ１を送信してよい。例えば、図７Ｂに示されるように、ＵＬ−ＤＬ（１）の周期２のスロット“９−Ｄ”（すなわち、Ｔ７時点）において、端末は、無線周波数Ｒｘ２チャネル上でＳＩＭカード２に対するページング要求を受け取る。図７Ｂにおいて“Ｔｘ（１）”で示されるように、Ｔ７時点でＳＩＭカード２に対するページング要求を受け取った後に、端末は、ページング要求に即座に応答して、ＵＬ−ＤＬ（１）の周期３のスロット“２−Ｕ”（すなわち、Ｔ３時点）でシグナリングパケットＸ０を送信し、ＵＬ−ＤＬ（１）の周期３の“３−Ｕ”（すなわち、Ｔ４時点）でシグナリングパケットＸ１を送信してよい。その後に、端末２１０は、ＵＬ−ＤＬ（２）の周期４のスロット“７−Ｕ”（Ｔ５時点）でボイスパケットＹ３を送信し、ＵＬ−ＤＬ（２）の周期５のスロット“２−Ｕ”（すなわち、Ｔ６時点）でボイスパケットＹ４を送信してよい。
【０１２３】
しかし、ＳＩＭカード１が呼び出し状態にあるときに、端末２１０がＳＩＭカード２に対するページング要求を受け取り、端末２１０がページング要求に即座に応答してシグナリングパケットＸ０及びシグナリングパケットＸ１をネットワークデバイスへ送信するよう無線周波数Ｔｘチャネルを占有する場合には、ＳＩＭカード１のボイスパケットの送信は遅延され、ＳＩＭカード１の音声通信品質は影響を及ぼされる。
【０１２４】
ＳＩＭカード１の音声通信品質を確保するよう、本発明のこの実施形態において、端末２１０は、ＳＩＭカード１のボイスパケットを送信する（すなわち、端末２１０が第１の通信接続の送信されるべきボイスパケットを有している）ときに、ページング要求に応答することを遅延させてよい。例えば、図７Ｂにおいて“Ｔｘ（２）”で示されるように、Ｔ７時点でＳＩＭカード２に対するページング要求を受け取った後に、端末は、ページング要求に応答することを遅延させ、ＵＬ−ＤＬ（２）の周期３のスロット“２−Ｕ”（すなわち、Ｔ３時点）でボイスパケットＹ３を送信し、ＵＬ−ＤＬ（２）の周期４のスロット“７−Ｕ”（すなわち、Ｔ４時点）でボイスパケットＹ４を送信してよい。その後に、端末２１０は、ＵＬ−ＤＬ（１）の周期５のスロット“７−Ｕ”（すなわち、Ｔ７時点と比較してΔＴ遅延されているＴ５時点）でシグナリングパケットＸ０を送信し、ＵＬ−ＤＬ（１）の周期５のスロット“３−Ｕ”（Ｔ６時点）でシグナリングパケットＸ１を送信してよい。
【０１２５】
Ｓ５０５．端末２１０がＳＩＭカード２に対するページング（paging）要求を受け取るときに、端末２１０がＳＩＭカード１の送信されるべきボイスパケットを有していない場合には、端末２１０は即時にページング要求に応答する。
【０１２６】
例えば、いくつかの実施形態において、表１を参照して、端末は、ＳＩＭカード１及びＳＩＭカード２の音声通信を実行するために、表１に示されるＵＬ−ＤＬ（２）スロット構成を使用すると仮定される。図８Ａに示されるように、周期２のダウンリンクスロット“９−Ｄ”（すなわち、Ｔ７時点）において、端末は、無線周波数Ｒｘ２チャネル上でＳＩＭカード２に対するページング要求（すなわち、第２の通信接続をセットアップするためのページング要求）を受ける。この場合に、端末２１０は、ＳＩＭカード１のボイスパケットを送信しない（すなわち、端末２１０は、第１の通信接続の送信されるべきボイスパケットを有していない）。従って、ＳＩＭカード２に対するページング要求を受け取った後に、端末２１０は、ページング要求に即座に応答して無線周波数Ｔｘチャネル上でシグナリングパケットＸ０及びシグナリングパケットＸ１を送信してよい。例えば、図８Ａに示されるように、Ｔ７時点でＳＩＭカード２に対するページング要求を受け取った後に、端末は、ページング要求に即座に応答して次のアップリンクスロット（すなわち、周期５のスロット“２−Ｕ”、Ｔ５時点）でシグナリングパケットＸ０を送信し、次のアップリンクスロット（すなわち、周期６のスロット“７−Ｕ”、Ｔ６時点）でシグナリングパケットＸ１を送信してよい。
【０１２７】
いくつかの他の実施形態では、端末は、ＳＩＭカード１の音声通信を実行するために表１に示されるＵＬ−ＤＬ（２）スロット構成を使用し、ＳＩＭカード２の音声通信を実行するために表１に示されるＵＬ−ＤＬ（１）スロット構成を使用すると仮定される。図８Ｂに示されるように、Ｔ７時点でＳＩＭカード２に対するページング要求を受け取った後に、端末は、ページング要求に即座に応答してＵＬ−ＤＬ（１）の周期５のスロット“２−Ｕ”（すなわち、Ｔ５時点）でシグナリングパケットＸ０を送信し、ＵＬ−ＤＬ（１）の周期５のスロット“３−Ｕ”（すなわち、Ｔ６時点）でシグナリングパケットＸ１を送信してよい。
【０１２８】
端末２１０は、ページング要求に応答してＳ５０６及びその後の方法プロシージャを実行してよい。
【０１２９】
Ｓ５０６．端末２１０は、ページング要求に応答してＲＲＣシグナリングをネットワークデバイスへ送信し、ＳＩＭカード２に基づきネットワークデバイスへのＲＲＣ接続をセットアップする。
【０１３０】
Ｓ５０７．端末２１０は、ネットワークデバイスとＳＩＰシグナリングを交換する。
【０１３１】
本発明のこの実施形態では、端末２１０がＳＩＭカード１のボイスパケットを送信するときにページング要求に応答すること遅延させることは、具体的に、端末２１０がＳＩＭカード１のボイスパケットを送信するときにＳＩＭカード２のＲＲＣシグナリング及びＳＩＰシグナリングを送信することを遅延させることを含んでよい点が理解され得る。
【０１３２】
Ｓ５０８．端末２１０は、ＳＩＭカード２の、ネットワークデバイスによって送信された着呼情報を受け取る。
【０１３３】
端末２１０がネットワークデバイスから着呼情報を取得した後に、本発明のいくつかの実施形態における方法は、Ｓ５０９を更に含んでもよい。
【０１３４】
Ｓ５０９．端末２１０は、ＳＩＭカード２の着呼通知を与える。
【０１３５】
例えば、端末２１０が着呼通知を与えることは、端末２１０が次の通知方法：端末２１０が呼び鈴を鳴らす，端末２１０のユーザインターフェイスがユーザＣからの着呼を表示する，端末が振動する，端末のカメラのフラッシュが点滅する，などのうちの１つ以上で着呼通知を与えることを含む。
【０１３６】
着呼通知によってプロンプトされるように、ユーザは、ＳＩＭカード２に対する着呼要求を断り、ＳＩＭカード１の音声通話を続けることを選択してよい。代替的に、ユーザは、ＳＩＭカード１の音声通話を切り、ＳＩＭカード２の音声通話を受け入れることを選択してもよい。
【０１３７】
例えば、図９は、本発明の実施形態に従う端末呼び出し画面の例の概略図である。端末２１０がＳＩＭカード１を使用することによって端末２２０（ユーザＢ）との音声通話を行う過程において、ユーザＢの連絡先情報が端末２１０の連絡先に記憶されているとすれば、端末２１０は、図９Ａに示されるようなグラフィカル・ユーザ・インターフェイス（Graphical  User  Interface，ＧＵＩ）を表示してよい。図９Ａに示されるＧＵＩは、着呼ユーザ情報（例えば、「ユーザＢ」）、通話時間情報、例えば、「０８：１１」、ミュートアイコン９０１、ダイアルパッドアイコン９０２、スピーカアイコン９０３、追加呼び出しアイコン９０４、連絡先アイコン９０５、及び通話終了アイコン９０６を含んでよい。図９Ａに示されるアイコンの機能については、先行技術における対応するアイコンの機能に関する説明を参照されたい。詳細は、本発明のこの実施形態においてここでは記載されない。
【０１３８】
端末２１０のＳＩＭカード１が端末２２０との音声通信を行う過程において、端末２１０がＳＩＭカード２に対するユーザＣからの着呼を受ける場合には、ＳＩＭカード２の着呼情報（例えば、ユーザＣの電話番号）を取得した後に、端末２１０は、図９Ｂに示されるようなグラフィカル・ユーザ・インターフェイス（Graphical  User  Interface，ＧＵＩ）を表示することができる。図９Ｂに示されるＧＵＩは、ＳＩＭカード２の着呼通知情報（例えば、「ＳＩＭカード２：ユーザＣから着信」）９０６、終了及び受話アイコン９０７、継続及び着信切断アイコン９０８、並びにメッセージアイコン９０９などのアイコンを含んでよい。アイコン９０７は、元の通話（すなわち、ユーザＢとのＳＩＭカード１の通話）を終了し、新たな呼び出し（すなわち、ユーザＣとのＳＩＭカード２の通話）を受け入れるために使用される。アイコン９０８は、元の通話（すなわち、ユーザＢとのＳＩＭカード１の通話）を続け、新たな呼び出し（すなわち、ユーザＣとのＳＩＭカード２の通話）を切るために使用される。メッセージアイコン９０９は、「後ほど連絡します。」又は「通話中につき、後ほど連絡します。」などのメッセージを端末２３０（すなわち、ユーザＣ）へ送るよう、メッセージ編集ウインドウに入るために使用される。いくつかの他の実施形態では、ＳＩＭカード２の着呼情報（ユーザＣの電話番号）を取得した後に、端末２１０は、ＳＩＭカード２の着呼通知情報（例えば、「ＳＩＭカード２：ユーザＣから着信」）９０６のみを表示することができる。いくつかの他の実施形態では、メッセージアイコン９０９は、元の通話又は新たな呼び出しを切るとユーザが選択した後に表示され得る。
【０１３９】
本発明のこの実施形態で提供される、デュアルカード・デュアルスタンバイ・デュアルパスを実装する通信方法によれば、端末２１０のＳＩＭカード１が呼び出し状態にあるときに、端末２１０がＳＩＭカード２に対するページング要求を受ける場合に、端末２１０は、ＳＩＭカード１のボイスパケットを送信する（すなわち、無線周波数Ｔｘリソース上で送信されるべきＳＩＭカード１のボイスパケットがある）ときに、ページング要求に応答することを遅延させてよい。具体的に言えば、端末２１０がＳＩＭカード１のボイスパケットを送信していない（すなわち、無線周波数Ｔｘリソース上で送信されるべきＳＩＭカード１のボイスパケットがない）ときにのみ、端末は、ページング要求に応答してＲＲＣシグナリングを送信するために無線周波数Ｔｘリソースを占有し、ネットワークデバイスへのＲＲＣ接続をセットアップする。このようにして、端末２１０は、ＳＩＭカード１の音声通話品質に影響を及ぼさずにＳＩＭカード２に対するページング要求に応答してＳＩＭカード２の着呼通知を与えることができる。
【０１４０】
要するに、この解決法によれば、端末２１０は、ユーザ経験を改善するよう、コールカードの音声通話品質に影響を及ぼさずに端末のデュアルカード・デュアルスタンバイ・デュアルパスを実装することができる。
【０１４１】
いくつかの実施形態において、図９に示されるＧＵＩを表示した後に、端末２１０は、図９に示されるＧＵＩにおけるアイコンの選択に基づき、ユーザがＳＩＭカード２に対する着呼要求を受け入れるかどうかを判定することができる。図１０に示されるように、Ｓ５０９の後に、本発明のこの実施形態における方法は、Ｓ５１０を更に含んでもよい。
【０１４２】
Ｓ５１０．端末２１０は、ユーザがＳＩＭカード２に対する着呼要求を受け入れるかどうかを判定する。
【０１４３】
ユーザがＳＩＭカード２に対する着呼要求を断って、ＳＩＭカード１の音声通話を続けることを選択する場合には、端末２１０は、ＳＩＭカード２へのＲＲＣ接続を切ってよい。ユーザがＳＩＭカード１の音声通話を切って、ＳＩＭカード２の音声通話を受け入れることを選択する場合には、端末２１０は、Ｓ５１１及びその後の方法プロシージャを続けてよい。
【０１４４】
Ｓ５１１．端末２１０は、ＳＩＭカード１の音声通信を終了し、端末２１０のＳＩＭカード２を使用することによって端末２３０との音声通信を実行する。
【０１４５】
端末２１０がＳＩＭカード２を使用することによって端末２１０との音声通信を実行する過程において、端末２１０のＳＩＭカード２は、端末２１０のＴｘ無線周波数リソース（すなわち、無線周波数Ｔｘチャネル）を占有する。
【０１４６】
図１１Ａに示されるように、ユーザの指が図１１Ａに示される表示パネル上のアイコン９０７をタッチするか又はそれに近づくときに、それは、ユーザが元の通話（すなわち、ユーザＢとのＳＩＭカード１の通話）を終了して、新たな呼び出し（すなわち、ユーザＣとのＳＩＭカード２の通話）を受けたいと望んでいることを示す。端末２１０のタッチパネルは、タッチパネル上又はその近くでタッチ事象を検出し、そして、タッチ事象に対応する命令を決定するためにタッチ事象をプロセッサ４１０へ送信する。次いで、プロセッサ４１０は、命令に従って、図１１Ｂに示されるＧＵＩを表示するように表示パネルに指示し、それにより、ユーザは、ユーザＣとの音声通信を実行することができる。図１１Ｂ及び図１１Ｃに示されるように、端末２１０は、ある期間（例えば、３秒）の間図１１Ｂに示されるＧＵＩを表示した後に、図１１Ｃに示されるＧＵＩを表示してよい。
【０１４７】
いくつかの実施形態において、端末２１０は、図１１Ｂに示されるＧＵＩを表示せずに、図１１Ｃに示されるＧＵＩを直接表示してもよい。
【０１４８】
図１２Ａに示されるように、ユーザの指が図１２Ａに示される表示パネル上のアイコン９０８をタッチするか又はそれに近づくときに、それは、ユーザが元の通話（すなわち、ユーザＢとのＳＩＭカード１の通話）を続け、新たな呼び出し（すなわち、ユーザＣとのＳＩＭカード２の通話）を切りたいと望んでいることを示す。端末２１０のタッチパネルは、タッチパネル上又はその近くでタッチ事象を検出し、そして、タッチ事象に対応する命令を決定するためにタッチ事象をプロセッサ４１０へ送信する。次いで、プロセッサ４１０は、命令に従って、図１２Ｂに示されるＧＵＩを表示するように表示パネルに指示し、それにより、ユーザは、ユーザＢとの音声通信を続けることができる。図１２Ｂ及び図１２Ｃに示されるように、端末２１０は、ある期間（例えば、２秒）の間図１２Ｂに示されるＧＵＩを表示した後に、図１２Ｃに示されるＧＵＩを表示してよい。
【０１４９】
いくつかの実施形態において、端末２１０は、図１２Ｂに示されるＧＵＩを表示せずに、図１２Ｃに示されるＧＵＩを直接表示してもよい。
【０１５０】
任意に、着呼通知によってプロンプトされるように、ユーザは、代替的に、ＳＩＭカード１の音声通話を保留し（ＳＩＭカード１の音声通話が保留される。）、ＳＩＭカード２の音声通話を受け入れることを選択してもよい。
【０１５１】
例えば、端末２１０は、着呼通知インターフェイスにおいてオプション「元の通話を保留し、新たな呼び出しを受ける」を表示することができる。ユーザが元の通話を保留して、新たな呼び出しを受け入れることを選択するときに、端末２１０は、元の通話（ＳＩＭカード１と端末２２０との間の音声通話）を保留し、新たな呼び出し（ＳＩＭカード２と端末２３０との間の音声通話）を受け入れることができる。具体的に言えば、ＳＩＭカード２は、新たな呼び出しを終了した後又は新たな呼び出しを保留した後に元の通話に応えることを再開するために、無線周波数Ｔｘリソースを一時的に占有するよう制御される。保留された（すなわち、ホールドhold）音声通話に対応するＳＩＭカードのほとんどのアップリンクデータパケットは、ヌルパケットである。
【０１５２】
例えば、図１１Ａに示される端末呼び出しインターフェイスの例を参照して、端末２１０のＳＩＭカード１が端末２２０との音声通話を行う過程において、ＳＩＭカード２がユーザＣの着呼を受ける場合には、端末２１０がＳＩＭカード２の着呼情報（例えば、ユーザＣの電話番号）を取得した後に、端末は、ＳＩＭカード２の着呼の電話番号及びユーザＣに関する情報が端末２１０の連絡先に記憶されているならば、図１３Ａに示されるＧＵＩを表示することができる。アイコン９０６、アイコン９０７、アイコン９０８、及びアイコン９００に加えて、図１３Ａに示されるＧＵＩは、保留及び受話アイコン９１０を更に含んでもよい。
【０１５３】
図１５Ａ及び図１５Ｂに示されるように、Ｓ５１０の後に、ユーザがＳＩＭカード１の音声通話を保留して、ＳＩＭカード２の音声通話を受け入れることを選択する場合には、Ｓ５１２が更に実行されてよい。
【０１５４】
Ｓ５１２．端末２１０は、ＳＩＭカード１と端末２２０との間の音声通信を保留し、ＳＩＭカード２を使用することによって端末２３０との音声通信を実行する。
【０１５５】
ＳＩＭカード２に対する音声通話要求（すなわち、ユーザＣの着呼要求）がより重要であって、ユーザＡはユーザＣの着呼要求を受け入れる必要があり、そして、ユーザＡは元の通話を切りたくないときに、ユーザＡは、元の通話（ＳＩＭカード１と端末２２０との間の音声通話）を保留して、新たな呼び出し（ＳＩＭカード２と端末２３０との間の音声通話）を受け入れるように端末２１０を制御するよう、保留及び受話アイコン９１０を選択することができる。具体的に言えば、ＳＩＭカード２は、新たな呼び出しを終了した後又は新たな呼び出しを保留した後に元の通話に応えることを再開するために、無線周波数Ｔｘリソースを一時的に占有するよう制御される。
【０１５６】
図１３Ｂに示されるように、ユーザの指が図１３Ｂに示される表示パネル上のアイコン９１０をタッチするか又はそれに近づくときに、それは、ユーザが元の通話（すなわち、ユーザＢとのＳＩＭカード１の通話）を保留し、新たな呼び出し（すなわち、ユーザＣとのＳＩＭカード２の通話）を受け入れたいと望んでいることを示す。端末２１０のタッチパネルは、タッチパネル上又はその近くでタッチ事象を検出し、そして、タッチ事象に対応する命令を決定するためにタッチ事象をプロセッサ４１０へ送信する。次いで、プロセッサ４１０は、命令に従って、図１３Ｃに示されるＧＵＩを表示するように表示パネルに指示し、それにより、ユーザは、元の通話を保留して、ユーザＣとの音声通信を行うことができる。
【０１５７】
図１４Ａに示されるように、ユーザの指が図１４Ａに示される表示パネル上の通話終了アイコン９０６をタッチするか又はそれに近づくときに、それは、ユーザが新たな呼び出し（すなわち、ユーザＣとのＳＩＭカード２の通話）を終了し、元の通話（すなわち、ユーザＢとのＳＩＭカード１の通話）を続けたいと望んでいることを示す。端末２１０のタッチパネルは、タッチパネル上又はその近くでタッチ事象を検出し、そして、タッチ事象に対応する命令を決定するためにタッチ事象をプロセッサ４１０へ送信する。次いで、プロセッサ４１０は、命令に従って、図１４Ｂに示されるＧＵＩを表示するように表示パネルに指示し、それにより、ユーザは、ユーザＢとの音声通信を続けることができる。図１４Ｂ及び図１４Ｃに示されるように、端末２１０は、ある期間（例えば、２秒）の間図１４Ｂに示されるＧＵＩを表示した後に、図１４Ｃに示されるＧＵＩを表示してよい。図１４Ｃ及び図１４Ｄに示されるように、端末２１０は、ある期間（例えば、３秒）の間図１４Ｃに示されるＧＵＩを表示した後に、図１４Ｄに示されるＧＵＩを表示してよい。
【０１５８】
いくつかの実施形態において、端末２１０は、図１４Ｂに示されるＧＵＩを表示せずに、図１４Ｃに示されるＧＵＩ又は図１４Ｄに示されるＧＵＩを直接表示してもよい。
【０１５９】
任意に、端末２１０は、第１の通信接続のデータパケット（アップリンクデータパケット）及び第２の通信接続のデータパケット（アップリンクデータパケット）の送信優先規則と、送信優先規則に対応する端末状態とを更に記憶する。送信優先規則は、対応する端末状態において、端末の無線周波数送信リソース上での第１の通信接続のデータパケット及び第２の通信接続のデータパケットの送信優先度を示すために使用される。
【０１６０】
本発明のこの実施形態において、端末２１０は、端末２１０が異なる端末状態にあるときにＳＩＭカード１及びＳＩＭカード２によって無線周波数Ｔｘチャネルを占有することの送信優先度の規則に従って、無線周波数Ｔｘチャネル上でＳＩＭカード１又はＳＩＭカード２のアップリンクデータパケットを送ることができる。端末２１０が異なる状態にあるときに、ＳＩＭカード１及びＳＩＭカード２によって無線周波数Ｔｘチャネルを占有することの送信優先度の規則は、端末２１０に事前に記憶されてよい。端末２１０は、端末２１０の現在の端末状態に基づき、ＳＩＭカード１及びＳＩＭカード２によって無線周波数Ｔｘチャネルを占有することの送信優先度の規則を決定することができる。
【０１６１】
いくつかの実施形態において、端末２１０のＳＩＭカード２に対して端末２３０によって開始されるページング要求は、ＬＴＥネットワークにおけるＶｏＬＴＥサービスのページング要求であってよい。これらの実施形態では、端末２２０と端末２１０のＳＩＭカード１との間の音声通信は、ＶｏＬＴＥサービス又はＣＳドメインサービスであってよい。
【０１６２】
ＬＴＥネットワークにおいて、ページング要求を受け取った後に、端末は、ページング要求がＶｏＬＴＥ音声サービスを実行することを要求するために使用されるのか、あるいは、コモンデータサービス（例えば、ネットワークアクセスデータサービス）を実行することを要求するために使用されるのかを判定することができない。端末が、ページング要求を受け取ってネットワークデバイスへのＲＲＣ接続をセットアップした後に、ネットワークデバイスによって送られたＩＮＶＩＴＥメッセージを受け取る場合には、端末は、ＩＮＶＩＴＥメッセージに対応するページング要求がＶｏＬＴＥサービスを実行することを要求するために使用されると決定することができる。端末がネットワークデバイスへのＲＲＣ接続をセットアップした後にＩＮＶＩＴＥメッセージを受け取らない場合には、端末は、ページング要求がコモンデータサービスを実行することを要求するために使用されると決定することができる。
【０１６３】
端末によって受け取られたページング要求がコモンデータサービスを実行することを要求するために使用される場合には、端末がページング要求を受け取った後に、無線周波数Ｔｘチャネル上でのアクセスカード（すなわち、ＳＩＭカード２）のシグナリングパケットの送信優先度が無線周波数Ｔｘチャネル上でのコールカードのボイスパケットの送信優先度よりも高いと端末が直接設定するならば、コールカードの音声通話はしばしば影響を及ぼされると理解され得る。
【０１６４】
コールカード（すなわち、ＳＩＭカード１）の音声通信品質がそれほど影響を及ぼされないことを確かにするために、Ｓ５０３の後且つＳ５０４及びＳ５０５の前に、本発明のこの実施形態における方法は、Ｓ１６０１を更に含んでもよい。例えば、図１６Ａ及び図１６Ｂに示されるように、図１５Ａ及び図１５Ｂに示されるＳ５０３の後且つＳ５０４及びＳ５０５の前に、本発明のこの実施形態における方法は、Ｓ１６０１を更に含んでもよい。
【０１６５】
Ｓ１６０１．端末２１０は、第１優先規則に従って、無線周波数Ｔｘチャネル上でデータパケットを送信する。
【０１６６】
第１優先規則は、無線周波数Ｔｘチャネル上でのＳＩＭカード１及びＳＩＭカード２のアップリンクデータパケットの送信優先規則であってよく、端末２１０のＳＩＭカード１が呼び出し状態にあるときに端末２１０がＳＩＭカード２に対するページング要求を受け取った後に端末２１０によって使用される。
【０１６７】
例えば、第１優先規則は、次のようにセットされてよい。無線周波数Ｔｘチャネル上での第１の通信接続のボイスパケットの送信優先度は、無線周波数Ｔｘチャネル上での第１シグナリングパケットの送信優先度よりも高い。第１シグナリングパケットは、第２の通信接続をセットアップするためのページング要求に応答して送信されるシグナリングパケットを含む。
【０１６８】
更に、コールカード（すなわち、ＳＩＭカード１）の音声通信品質がそれほど影響を及ぼされないことを確かにするとともに、アクセスカードのシグナリングパケットが無線周波数Ｔｘチャネルを占有する可能性を高めるために、第１優先規則は、更に次のようにセットされてよい。
【０１６９】
１．無線周波数Ｔｘチャネル上でのコールカードの音声通信に関係があるいくつかの重要なアップリンクデータパケット（例えば、アップリンクボイスパケット）の送信優先度は、無線周波数Ｔｘチャネル上でのアクセスカード（すなわち、ＳＩＭカード２）のシグナリングパケットの送信優先度よりも高い。
【０１７０】
換言すれば、無線周波数送信リソース上での第１の通信接続の全アップリンクデータパケットの送信優先度は、無線周波数送信リソース上での第１シグナリングパケットの送信優先度よりも高い。
【０１７１】
２．無線周波数Ｔｘチャネル上でのコールカードの音声通信に関係がある他のアップリンクデータパケット（例えば、アップリンクＡＣＫパケット、又はアップリンクネットワークアクセスデータサービスパケット）の送信優先度は、無線周波数Ｔｘチャネル上でのアクセスカード（すなわち、ＳＩＭカード２）のシグナリングパケットの送信優先度よりも低い。
【０１７２】
換言すれば、無線周波数送信リソース上での第１シグナリングパケットの送信優先度は、無線周波数送信リソース上での第１のＳＩＭカードの他のサービスのアップリンクデータパケットの送信優先度よりも高い。他のサービスのアップリンクデータパケットは、第１の通信接続の全アップリンクデータパケットとは異なる、第１のＳＩＭカードの全サービスのアップリンクデータパケット内の他のアップリンクデータパケットである。
【０１７３】
例えば、コールカードのアップリンクネットワークアクセスデータサービスパケットの遅延された送信は、コールカードの音声通信品質に影響を与えない。コールカードのアップリンクＡＣＫパケットの遅延された送信も、コールカードの音声通信品質に大きな影響を与えない。しかし、コールカードのシグナリングパケット、コールカードのアップリンクボイスパケット、及びコールカードのＳＲパケットの遅延された送信は、コールカードの音声通信品質に比較的に大きい影響を与える。そのため、第１優先記憶は、次のようにセットされてよい。
【０１７４】
（１）無線周波数Ｔｘチャネル上でのコールカード（すなわち、ＳＩＭカード１）のシグナリングパケット、コールカードのアップリンクボイスパケット、及びコールカードのＳＲパケットの送信優先度は、無線周波数Ｔｘチャネル上でのアクセスカード（すなわち、ＳＩＭカード２）のシグナリングパケットの送信優先度よりも高い。
【０１７５】
（２）無線周波数Ｔｘチャネル上でのアクセスカード（すなわち、ＳＩＭカード２）のシグナリングパケットの送信優先度は、無線周波数Ｔｘチャネル上でのコールカード（すなわち、ＳＩＭカード１）のＡＣＫパケット及びコールカードのネットワークアクセスデータサービスパケットの送信優先度よりも高い。
【０１７６】
例えば、表２は、本発明のこの実施形態で提供される第１優先規則の一例を示す。
【表２】
0006915079.tif 000003
【０１７７】
コールカードのシグナリングパケット、アップリンクボイスパケット、及びＳＲパケットの通常の送信は、コールカードの音声通信品質が影響を及ぼされないことを確かにすることができ、コールカードのＡＣＫパケット及びコールカードのネットワークアクセスデータサービスパケットの遅延された送信がコールカードの音声通信品質に比較的に大きい影響を及ぼさないことが理解され得る。従って、コールカードのＡＣＫパケット及びコールカードのネットワークアクセスデータサービスパケットによる無線周波数Ｔｘチャネルの占有によって引き起こされ、アクセスカード（すなわち、ＳＩＭカード２）によってページング要求に応答してシグナリングパケットをネットワークデバイスへ送信することに課される影響を回避するために、第１優先規則において、無線周波数Ｔｘチャネル上でのアクセスカード（すなわち、ＳＩＭカード２）のシグナリングパケットの送信優先度は、無線周波数Ｔｘチャネル上でのコールカード（すなわち、ＳＩＭカード１）のＡＣＫパケット及びネットワークアクセスデータサービスパケットの送信優先度よりも高くてよい。
【０１７８】
表２は、単に、本発明のこの実施形態における第１優先規則の例である点が留意されるべきである。本発明のこの実施形態における第１優先規則は、上記の第１優先規則及び表２に示される第１優先規則を含むがこれらに限られない。
【０１７９】
例えば、表３は、本発明のこの実施形態で提供される第１優先規則の他の例を示す。
【表３】
0006915079.tif 000004
【０１８０】
２つのカードの低優先パケットには、コールカードのヌルパケット、ＣＱＩパケット、及びＳＲＳパケットと、アクセスカードのヌルパケット、ＣＱＩパケット、及びＳＲＳパケットとが含まれ得る。２つのカードの低優先パケットの遅延された送信さえ、コールカードの音声通信に影響を及ぼさない。従って、アクセスカードのシグナリングパケットに対する２つのカードの低優先パケットの影響を和らげるために、端末２１０は、無線周波数Ｔｘチャネル上でのアクセスカード（例えば、ＳＩＭカード２）のシグナリングパケットの送信優先度が、無線周波数Ｔｘチャネル上での２つのカードの低優先パケットの送信優先度よりも高いとセットしてよい。
【０１８１】
端末２１０は、第１優先規則によって示される、２つのカードのデータパケットの優先度に基づき、無線周波数Ｔｘチャネル上で、比較的に高い優先度を有しているデータパケットを優先的に送信する。
【０１８２】
コールカードの音声通信品質を確保するために、第１優先規則において、コールカードのシグナリングパケット、アップリンクボイスパケット、及びＳＲパケットは、最も高い優先度を有していることが理解され得る。しかし、音声サービスを実行する過程において、端末２１０のＳＩＭカード１は、アップリンクボイスパケットを送信するために無線周波数Ｔｘチャネルを常に占有するわけではない。端末２１０は、ＳＩＭカード１のボイスパケットが無線周波数Ｔｘチャネル上で送信されないアイドル期間において、アクセスカードに対する呼び出し要求に応答してよい。図１６Ａ及び図１６Ｂに示されるように、Ｓ１６０１の後で、Ｓ５０４又はＳ５０５が続けられてよい。
【０１８３】
Ｓ５０６の後に、すなわち、端末２１０のＳＩＭカード２がネットワークデバイスへのＲＲＣ接続をセットアップした後に、ページング要求がＶｏＬＴＥ音声サービスを実行することを要求するために使用される場合には、ネットワークデバイスは、ＩＮＶＩＴＥ（Invite）メッセージ（すなわち、第２の通信接続のためのＩＮＶＩＴＥメッセージ）を端末２１０へ送信してよい。ページング要求がコモンネットワークアクセスデータサービスを実行することを要求するために使用される場合には、ネットワークデバイスは、ＩＮＶＩＴＥメッセージを端末２１０のＳＩＭカード２へ送信しない。具体的に、図１６Ａ及び図１６Ｂに示されるように、Ｓ５０６がネットワークデバイスへのＲＲＣシグナリングをセットアップするために実行された後に、本発明のこの実施形態における方法は、Ｓ１６０２を更に含んでもよい。
【０１８４】
Ｓ１６０２．端末２１０は、ＳＩＭカード２に対してネットワークデバイスによって送信されたＩＮＶＩＴＥメッセージが受信されるかどうかを判定する。
【０１８５】
前もってセットされた時間（例えば、２ｓ）内に端末２１０がＳＩＭカード２に対するＩＮＶＩＴＥメッセージを受信する場合には、それは、ページング要求がＶｏＬＴＥ音声サービスを実行することを要求するために使用されることを示す。端末２１０は、ＳＩＭカード２の着呼情報を取得し、着呼通知を与える（すなわち、Ｓ５０７乃至Ｓ５０９を実行する）よう、ネットワークデバイスとＳＩＰシグナリングを交換し続けることができる。前もってセットされた時間（例えば、２ｓ）内に端末２１０がＳＩＭカード２に対するＩＮＶＩＴＥメッセージを受信しない場合には、それは、ページング要求がＳＩＭカード２に対してコモンネットワークアクセスデータサービスを実行することを要求するために使用されることを示し、端末２１０は、ＲＲＣ接続を切り、Ｓ５０１及びその後の方法プロシージャを続けることができる。
【０１８６】
いくつかの実施形態において、ＩＮＶＩＴＥメッセージを受信した後に、端末２１０は、ＳＩＭカード２に対するページング要求がＶｏＬＴＥ音声サービスを実行することを要求するために使用されると決定することができる。この場合に、ＳＩＭカード２の着呼情報を取得し、着呼通知を与えるために、ＳＩＭカード２が、ＳＩＰシグナリングを受信及び送信し、ネットワークデバイスと相互作用するよう、無線周波数Ｒｘ２チャネル及び無線周波数Ｔｘチャネルを使用可能であることを確かにすべく、端末２１０は、アクセスカードのアップリンクデータパケットの優先度がコールカードのアップリンクデータパケットの優先度よりも高いとセットしてよい。具体的に、図１７Ａ及び図１７Ｂに示されるように、Ｓ５０７乃至Ｓ５０９の前且つＳ１６０２の後に、前もってセットされた時間（例えば、２ｓ）内に端末２１０がＳＩＭカード２に対するＩＮＶＩＴＥメッセージを受信する場合には、本発明のこの実施形態における方法は、Ｓ１６０３を更に含んでもよい。
【０１８７】
Ｓ１６０３．端末２１０は、第２優先規則に従って無線周波数Ｔｘチャネル上でデータパケットを送信する。
【０１８８】
例えば、第２優先規則は次の通りであってよい。無線周波数Ｔｘチャネル上での第２の通信接続のアップリンクデータパケット（すなわち、アクセスカードのアップリンクデータパケット）の送信優先度は、無線周波数Ｔｘチャネル上での第１の通信接続のアップリンクデータパケット（すなわち、コールカードのアップリンクデータパケット）よりも高い。第２の通信接続のアップリンクデータパケットは、ＳＩＰシグナリングを含む。
【０１８９】
例えば、アクセスカードのアップリンクデータパケットには、アクセスカードのアップリンクシグナリングパケットが含まれてよく、コールカードのアップリンクデータパケットには、コールカードのアップリンクシグナリングパケット、アップリンクＣＱＩパケット、及びアップリンクＳＲＳパケットなどの、コールカードの全てのアップリンクデータパケットが含まれてよく、それにより、アクセスカードが呼び鈴に応答する過程において、コールカードは、アクセスカードが呼び鈴を鳴らすことができないように、無線周波数Ｔｘチャネルを先取りする。
【０１９０】
例えば、表４は、本発明のこの実施形態で提供される第２優先規則の例を示す。
【表４】
0006915079.tif 000005
【０１９１】
端末２１０が第２優先規則に従って無線周波数Ｔｘチャネル上でデータパケットを送信した後に、アクセスカード（すなわち、ＳＩＭカード２）は、無線周波数Ｔｘチャネルを占有し、無線周波数Ｒｘ２チャネル及び無線周波数Ｔｘチャネルを使用して、ＳＩＰシグナリングを受信及び送信し、ネットワークデバイスと相互作用して、ＳＩＭカード２の着呼情報を取得し、着呼通知を与えることができる。
【０１９２】
本発明のこの実施形態における「アクセスカードが無線周波数Ｔｘチャネルを占有する」ことは、端末２１０が無線周波数Ｔｘチャネル上でアクセスカードのアップリンクデータパケットを送信することを意味し、「コールカードが無線周波数Ｔｘチャネルを占有する」ことは、端末２１０が無線周波数Ｔｘチャネル上でコールカードのアップリンクデータパケットを送信することを意味する点が留意されるべきである。
【０１９３】
端末２１０が着呼通知を与えた後に、ユーザは、着呼通知に従って、ＳＩＭカード１の音声通話を切り、ＳＩＭカード２の音声通話を受け入れることを選択してよいと理解され得る。ユーザは、代替的に、ＳＩＭカード２に対する着呼要求を断り、ＳＩＭカード１の音声通話を続けることを選択してもよい。ユーザは、代替的に、ＳＩＭカード１の音声通話を保留し、ＳＩＭカード２の音声通話を受け入れることを選択してもよい。従って、端末がネットワークデバイスから着呼情報を取得する（すなわち、Ｓ５０８を実行する）か、あるいは、ＳＩＭカード２が着呼情報を取得するためのＳＩＰシグナリングをネットワークデバイスへ送る（すなわち、Ｓ５０７を実行する）時点から、ＳＩＭカードに対する着呼要求を受け入れるべきかどうかをユーザが判断する（すなわち、Ｓ５１０を実行する）時点までの期間において、ＳＩＭカード１の音声通信品質を優先的に確保するために、図１８Ａ及び図１８Ｂに示されるように、本発明のいくつかの実施形態における方法は、Ｓ１８０１を更に含んでもよい。
【０１９４】
Ｓ１８０１．端末２１０は、第１優先規則に従って無線周波数Ｔｘチャネル上でデータパケットを送信する。
【０１９５】
いくつかの他の実施形態では、端末２１０のＳＩＭカード２に対して端末２３０によって開始されるページング要求は、ＣＳドメインサービスのページング要求であってもよい。これらの実施形態では、端末２２０と端末２１０のＳＩＭカード１との間の音声通信は、ＶｏＬＴＥサービス又はＣＳドメインサービスであってよい。
【０１９６】
ＶｏＬＴＥサービスのそれとは異なり、ＣＳドメインサービスのページング要求は、ページング要求がＣＳドメインサービスを実行することを要求するために使用されることを直接示すことができ、端末は、ページング要求がＣＳドメインサービス又はコモンデータサービスを実行することを要求するために使用されるかどうかを判定するためにＩＮＶＩＴＥメッセージを受信するのを待つ必要がない。従って、端末２１０がページング要求を受け取った後（すなわち、Ｓ５０３の後）に、ページング要求がＣＳドメインサービスを実行することを要求するために使用されると端末２１０が決定する場合には、端末２１０は、Ｓ１６０３を直接実行することができる。図１９Ａ及び図１９Ｂに示されるように、Ｓ５０３の後に、本発明のこの実施形態における方法は、Ｓ１９０１を更に含んでもよい。
【０１９７】
Ｓ１９０１．端末２１０は、ページング要求がＣＳドメインサービスを実行することを要求するために使用されると決定する。
【０１９８】
ページング要求がＣＳドメインサービスを実行することを要求するために使用されると端末２１０が決定する場合には、ＳＩＭカード２の着呼情報を取得し、着呼通知を与えるために、ＳＩＭカード２が、ＳＩＰシグナリングを受信及び送信し、ネットワークデバイスと相互作用するよう、無線周波数Ｒｘ２チャネル及び無線周波数Ｔｘチャネルを使用可能であることを確かにすべく、端末２１０は、アクセスカードのアップリンクデータパケットの優先度がコールカードのアップリンクデータパケットの優先度よりも高いとセットしてよい。換言すれば、Ｓ１９０１の後に、Ｓ１６０３が実行されてよい。Ｓ１６０３に関する詳細な説明については、本発明のこの実施形態における関連する内容を参照されたい。詳細は、本発明のこの実施形態において再びここで記載されない。
【０１９９】
端末２１０が第２優先規則に従って無線周波数Ｔｘチャネルを上でデータパケットを送信した後に、アクセスカード（すなわち、ＳＩＭカード２）は、ネットワークデバイスへのＲＲＣ接続をセットアップするために、無線周波数Ｔｘチャネルを通じてネットワークデバイスへＲＲＣシグナリングを送信する（すなわち、Ｓ５０６を実行する）よう無線周波数Ｔｘチャネルを占有してよい。換言すれば、Ｓ１９０１の後に、Ｓ５０６及びその後のプロシージャが直接に実行され得る。
【０２００】
ページング要求がＣＳドメインサービスを実行することを要求するために使用されるときに、本発明のこの実施形態における方法はＳ１６０２を含まない点が留意されるべきである。換言すれば、図１９Ａ及び図１９Ｂに示されるように、Ｓ５０６の後に、Ｓ５０７乃至Ｓ５１０が直接に実行され得る。
【０２０１】
その上、ページング要求がＣＳドメインサービスを実行することを要求するために使用されるときに、Ｓ１８０１は任意である。端末がネットワークデバイスから着呼情報を取得する（すなわち、Ｓ５０８を実行する）か、あるいは、ＳＩＭカード２が着呼情報を取得するためのＳＩＰシグナリングをネットワークデバイスへ送る（すなわち、Ｓ５０７を実行する）時点から、ＳＩＭカードに対する着呼要求を受け入れるべきかどうかをユーザが判断する（すなわち、Ｓ５１０を実行する）時点までの期間において、Ｓ１８０１の実行は、ＳＩＭカード１の音声通信品質を優先的に確保することができる。
【０２０２】
いくつかの実施形態において、端末２１０が、端末２２０との音声通信を終了した後に、ＳＩＭカード２を使用することによって端末２３０との音声通信を行う過程（すなわち、Ｓ５１１）において、端末２１０のＳＩＭカード１は音声通信を終了するが、ＳＩＭカード１にはネットワークアクセスデータサービスが存在する。ＳＩＭカード１のネットワークアクセスデータサービスが、コールカード（すなわち、ＳＩＭカード２）の音声通信品質に比較的に大きい影響を与えずに、順当に実行されることを確かにするために、端末２１０は、第３優先規則に従って無線周波数Ｔｘチャネル上でデータパケットを送信することができる。Ｓ５１１の後に、本発明のこの実施形態における方法は、Ｓ２００１を更に含んでもよい。例えば、図２０Ａ、図２０Ｂ、及び図２０Ｃに示されるように、図１８Ａ及び図１８Ｂに示されるＳ５１１の後に、本発明のこの実施形態における方法は、Ｓ２００１を更に含んでもよい。
【０２０３】
Ｓ２００１．端末２１０は、第３優先規則に従って無線周波数Ｔｘチャネル上でデータパケットを送信する。
【０２０４】
例えば、第３優先規則は、次の通りであってよい。
【０２０５】
１．無線周波数Ｔｘチャネル上でのコールカード（例えば、ＳＩＭカード２）の高優先パケットの送信優先度は、無線周波数Ｔｘチャネル上でのアクセスカード（例えば、ＳＩＭカード１）のネットワークアクセスデータサービスパケットの送信優先度よりも高い。
【０２０６】
２．無線周波数Ｔｘチャネル上でのアクセスカード（例えば、ＳＩＭカード１）のネットワークアクセスデータサービスパケットの送信優先度は、無線周波数Ｔｘチャネル上での２つのカードの低優先パケットの送信優先度よりも高い。
【０２０７】
例えば、表５は、本発明のこの実施形態で提供される第３優先規則の例を示す。
【表５】
0006915079.tif 000006
【０２０８】
コールカードの高優先パケットには、コールカードのシグナリングパケット、アップリンクボイスパケット、ＡＣＫパケット、及びＳＲパケットが含まれ得る。コールカードのシグナリングパケット、アップリンクボイスパケット、ＡＣＫパケット、及びＳＲパケットの通常の送信は、コールカードの音声サービスが影響を及ぼされないことを確かにすることができる。従って、無線周波数Ｔｘチャネル上でのコールカードの高優先パケットの送信優先度は最も高く、それにより、コールカードの音声通信は影響を及ぼされない。
【０２０９】
その上、２つのカードの低優先パケットには、コールカードのヌルパケット、ＣＱＩパケット、及びＳＲＳパケットと、アクセスカードのヌルパケット、ＣＱＩパケット、及びＳＲＳパケットとが含まれ得る。コールカード及びアクセスカードのヌルパケット、ＣＱＩパケット、及びＳＲＳパケットの遅延された送信さえ、コールカードの音声通信に影響を及ぼさない。アクセスカードのネットワークアクセスデータサービスパケットに対する２つのカードの低優先パケットの影響を和らげるために、端末２１０は、無線周波数Ｔｘチャネル上でのアクセスカード（例えば、ＳＩＭカード１）のネットワークアクセスデータサービスパケットの送信優先度が、無線周波数Ｔｘチャネル上での２つのカードの低優先パケットの送信優先度よりも高いとセットしてよい。
【０２１０】
更に、端末２１０が端末２１０のＳＩＭカード２を使用することによって端末２３０との音声通信を行う過程において、端末２１０のＳＩＭカード１に対して他の端末（例えば、端末２２０）によって開始されるページング要求が存在する場合がある。端末２１０のＳＩＭカード１がページング要求を受け取った後の処理方法については、Ｓ５０２′乃至Ｓ５１２′、Ｓ１６０１′乃至Ｓ１６０３′、Ｓ１８０１′、及びＳ１９０１′を参照されたい。換言すれば、端末２１０がＳＩＭカード２を使用することによって端末２３０との音声通信を行う過程において、上記のＳ５０２乃至Ｓ５１２はＳ５０２′乃至Ｓ５１２点により置換されてよく、Ｓ１６０１乃至Ｓ１６０３はＳ１６０１′乃至Ｓ１６０３′により置換されてよく、Ｓ１８０１はＳ１８０１′により置換されてよく、Ｓ１９０１はＳ１９０１′により置換され得る。
【０２１１】
例えば、図２１Ａ、図２０Ｂ、及び図２１Ｃ又は図２２Ａ及び図２２Ｂに示されるように端末２１０が端末２１０のＳＩＭカード２を使用することによって端末２３０との音声通信を行う過程において、本発明のこの実施形態における方法は、次の全て又はいくつかのステップを含んでよい。
【０２１２】
Ｓ５０２′．端末２２０は、端末２１０のＳＩＭカード１への呼び出し要求を開始する。
【０２１３】
Ｓ５０３′．端末２１０は、ＳＩＭカード１に対する、呼び出し要求によってトリガされるページング要求を受け取る。
【０２１４】
Ｓ５０３′の後に、本発明のこの実施形態における方法は、Ｓ５０４′及びＳ５０５′を更に含んでもよい。
【０２１５】
Ｓ５０４′．端末２１０がＳＩＭカード１に対するページング要求を受け取るときに、ＳＩＭカード２の送信されるべきボイスパケットがある場合には、端末２１０は、ＳＩＭカード１に対するページング要求に応答することを遅延させる。
【０２１６】
Ｓ５０５′．端末２１０がＳＩＭカード１に対するページング要求を受け取るときに、ＳＩＭカード２の送信されるべきボイスパケットがない場合には、端末２１０は、ＳＩＭカード１に対するページング要求に即時に応答する。
【０２１７】
端末２１０は、ページング要求に応答してＳ５０６′及びその後の方法プロシージャを実行してよい。
【０２１８】
Ｓ５０６′．端末２１０は、ページング要求に応答してＲＲＣシグナリングをネットワークデバイスへ送信し、ＳＩＭカード１に基づきネットワークデバイスへのＲＲＣ接続をセットアップする。
【０２１９】
Ｓ５０７′．端末２１０は、ネットワークデバイスとＳＩＰシグナリングを交換する。
【０２２０】
Ｓ５０８′．端末２１０は、ＳＩＭカード１の、ネットワークデバイスによって送られた着呼情報を受け取る。
【０２２１】
Ｓ５０９′．端末２１０は、ＳＩＭカード１の着呼通知を与える。
【０２２２】
Ｓ５１０′．端末２１０は、ユーザがＳＩＭカード１に対する着呼要求を受け入れるかどうかを判定する。
【０２２３】
ユーザがＳＩＭカード１に対する着呼要求を断ることを選択し、ＳＩＭカード２の音声通話を続ける場合には、端末２１０は、ＳＩＭカード１へのＲＲＣ接続を切断することができる。ユーザがＳＩＭカード２の音声通話を切ることを選択し、ＳＩＭカード１の音声通話を受け入れる場合には、端末２１０はＳ５１１′を続けることができる。ユーザがＳＩＭカード２の音声通話を保留し、ＳＩＭカード１の音声通話を受け入れることを選択する場合には、Ｓ５１２′が更に実行され得る。
【０２２４】
Ｓ５１１′．端末２１０は、ＳＩＭカード２の音声通信を終了し、端末２１０のＳＩＭカード１を使用することによって端末２２０との音声通信を実行する。
【０２２５】
Ｓ５１２′．端末２１０は、ＳＩＭカード２と端末２３０との間の音声通信を保留し、ＳＩＭカード１を使用することによって端末２２０との音声通信を実行する。
【０２２６】
Ｓ１６０１′．端末２１０は、第４優先規則に従って無線周波数Ｔｘチャネル上でデータパケットを送信する。
【０２２７】
端末２１０のＳＩＭカード１は音声通信を終了するが、ＳＩＭカード１で送信されるネットワークアクセスデータサービスが存在する場合がある。アクセスカードのネットワークアクセスデータサービスパケットに対する２つのカードの低優先パケットの影響を和らげるために、第４優先規則において、無線周波数Ｔｘチャネル上でのアクセスカード（例えば、ＳＩＭカード２）のネットワークアクセスデータサービスパケットの送信優先度は、無線周波数Ｔｘチャネル上での２つのカードの低優先パケットの送信優先度よりも高い。
【０２２８】
例えば、表６は、本発明のこの実施形態で提供される第４優先規則の例を示す。
【表６】
0006915079.tif 000007
【０２２９】
Ｓ１６０２′．端末２１０は、ＳＩＭカード１に対してネットワークデバイスによって送られたＩＮＶＩＴＥメッセージが受信されるかどうかを判定する。
【０２３０】
ＳＩＭカード１にはデータサービスが存在し得るので、Ｓ１６０２′が実行された後に、前もってセットされた時間内にＳＩＭカード１がＩＮＶＩＴＥメッセージを受信しない場合には、あるいは、Ｓ５１０′が実行された後に、ユーザがＳＩＭカード１に対する着呼要求を異なる場合には、端末２１０は、ＲＲＣ接続を切断しなくてもよい。
【０２３１】
本発明のこの実施形態における上記の表（例えば、表１乃至表６）は、本発明のこの実施形態における優先規則のいくつかの例を提供するにすぎず、本発明のこの実施形態における優先規則は、上記の優先規則を含むがそれらに限られない点が留意されるべきである。その上、本発明のこの実施形態における端末２１０の優先規則は、本発明のこの実施形態における第１優先規則、第２優先規則、第３優先規則、及び第４優先規則などの優先規則を含むがこれらに限られない。様々な異なる優先規則が、端末２１０が選択及び使用するために端末２１０においてセットされてよく、それにより、コールカードの音声通信品質を確保しながら、アクセスカードは、着呼情報を取得し、呼び鈴によって着呼通知を与えるために、ページング要求を受け取った後に、ＳＩＰシグナリングを送信し、ネットワークデバイスと相互作用するよう、無線周波数Ｔｘチャネルを使用することができる。
【０２３２】
Ｓ１６０３′．端末２１０は、第２優先規則に従って無線周波数Ｔｘチャネル上でデータパケットを送信する。
【０２３３】
Ｓ１８０１′．端末２１０は、第４優先規則に従って無線周波数Ｔｘチャネル上でデータパケットを送信する。
【０２３４】
Ｓ１９０１′．端末２１０は、ページング要求がＣＳドメインサービスを実行することを要求するために使用されると決定する。
【０２３５】
本発明のこの実施形態で提供される、デュアルカード・デュアルスタンバイ・デュアルパスを実装する通信方法によれば、端末２１０がＳＩＭカード１を使用することによって端末２２０との音声通信を行う過程において、端末２１０のＳＩＭカード２が端末２３０によって送られたページング要求を受け取る場合には、端末２１０は、無線周波数Ｔｘチャネル上でのＳＩＭカード１及びＳＩＭカード２の様々なデータパケットの送信優先度に基づき、無線周波数Ｔｘリソースを占有するようＳＩＭカード１又はＳＩＭカード２を制御することができ、それにより、ＳＩＭカード１がボイスパケットを送信するよう無線周波数Ｔｘリソースを占有するインターバルにおいて、ＳＩＭカード２は、ＳＩＭカード２の着呼情報を取得し、呼び鈴によってユーザに通知を与えるために、ネットワークデバイスへの接続をセットアップするよう、受け取られたページング要求に応答することができる。この解決法によれば、端末２１０は、ユーザ経験を改善するよう、コールカードの音声通話品質に影響を及ぼさずに端末のデュアルカード・デュアルスタンバイ・デュアルパスを実装することができる。
【０２３６】
本願のこの実施形態で提供される解決法は、次の観点から上述されている。端末は、無線周波数送信リソース上で第１の通信接続及び第２の通信接続のアップリンクデータパケットを送信する。上記の機能を実装するために、端末は、機能を実行するための対応する機能モジュールを含むことが理解され得る。当業者は、本明細書で開示されている実施形態で記載される、例となる端末及びアルゴリズムステップと組み合わせて、本願がハードウェア又はハードウェアとコンピュータソフトウェアとの組み合わせによって実装可能であると容易に気付くはずである。機能がハードウェア又はコンピュータソフトウェアによって駆動されるハードウェアによって実行されるかどうかは、技術的解決法の特定の用途及び設計制約に依存する。当業者は、特定の用途ごとに、記載される機能を実装するよう異なる方法を使用してよいが、実施が本願の適用範囲を越えることは考えられるべきではない。
【０２３７】
端末は、本願の実施形態における上記の方法の例に従って分割されてよい。例えば、モジュール又はユニットは、機能に対応するよう分割されてよく、あるいは、２つ以上の機能が、処理モジュールに一体化されてもよい。上記の一体化されたモジュールは、ハードウェアの形で実装されても、あるいは、ソフトウェアモジュール又はユニットの形で実装されてもよい。本願の実施形態におけるモジュール又はユニットの分割は、一例であり、論理的な機能分割にすぎず、実際の実施では他の分割様態が存在してもよい。
【０２３８】
図２３は、上記の実施形態に関係がある端末のとり得る略構造図である。端末２３００は、第１のＳＩＭカードインターフェイス及び第２のＳＩＭカードインターフェイスを含み、ここで、第１のＳＩＭカードインターフェイスは、第１のＳＩＭカード（すなわち、上記のＳＩＭカード１）と通信するよう構成され、第２のＳＩＭカードインターフェイスは、第２のＳＩＭカード（すなわち、上記のＳＩＭカード２）と通信するよう構成される。図２３に示されるように、端末２３００は、受信モジュール２３０１、送信モジュール２３０２、及び応答モジュール２３０３を含む。
【０２３９】
受信モジュール２３０１は、Ｓ５０１での「端末２１０が端末２２０との音声通信を実行する」ことにおいてダウンリンクデータパケットを受信する動作、Ｓ５０３、Ｓ５０７及びＳ５０７′での「端末２１０がネットワークデバイスとＳＩＰシグナリングを交換する」ことにおいてＳＩＰシグナリングを受信する動作、Ｓ５０８、Ｓ５１１、Ｓ５１１′、Ｓ５１２、及びＳ５１２′での「端末２１０が音声通信を実行する」ことにおいてダウンリンクデータパケットを受信する動作、及び方法実施形態におけるＳ５０３′及びＳ５０８′での動作、並びに／又は本明細書で記載される技術の他のプロセスをサポートするよう構成される。
【０２４０】
送信モジュール２３０２は、Ｓ５０１での「端末２１０が端末２２０との音声通信を実行する」ことにおいてアップリンクデータパケットを送信する動作、Ｓ５０６及びＳ５０６′でのＲＲＣシグナリングを送信する動作、Ｓ５０７及びＳ５０７′での「端末２１０がネットワークデバイスとＳＩＰシグナリングを交換する」ことにおいてＳＩＰシグナリングを送信する動作、Ｓ５１１、Ｓ５１１′、Ｓ５１２、及びＳ５１２′での「端末２１０が音声通信を実行する」ことにおいてアップリンクデータパケットを送信する動作、及び方法実施形態におけるＳ１６０１、Ｓ１６０３、Ｓ１８０１、Ｓ２００１、Ｓ５０６′、Ｓ１６０１′、Ｓ１６０３′、及びＳ１８０１′での動作、並びに／又は本明細書で記載される技術の他のプロセスをサポートするよう構成される。
【０２４１】
応答モジュール２３０３は、方法実施形態におけるＳ５０４、Ｓ５０５、Ｓ５０４′、及びＳ５０５′、並びに／又は本明細書で記載される技術の他のプロセスをサポートするよう構成される。
【０２４２】
更に、図２４に示されるように、端末２３００は、判定モジュール２３０４を更に含んでもよい。判定モジュール２３０４は、方法実施形態におけるＳ１６０２及びＳ１６０２′、並びに／又は本明細書で記載される技術の他のプロセスをサポートするよう構成される。
【０２４３】
更に、端末２３００は、記憶モジュールを更に含んでもよい。記憶モジュールは、本発明の実施形態における第１優先規則、第２優先規則、第３優先規則、及び第４優先規則などの優先規則を記憶するよう構成される。
【０２４４】
更に、端末２３００は、表示モジュールを更に含んでもよい。表示モジュールは、端末２３００の着呼通知インターフェイスを表示するよう構成される。例えば、表示モジュールは、図９、図１１、図１２、図１３、及び図１４のうちいずれか１つに示されるＧＵＩを表示するよう構成される。
【０２４５】
更に、端末２３００は、判断モジュールを更に含んでもよい。判断モジュールは、方法実施形態におけるＳ５１０及びＳ５１０′、並びに／又は本明細書で記載される技術の他のプロセスをサポートするよう構成される。
【０２４６】
更に、端末２３００は、セットアップモジュールを更に含んでもよい。セットアップモジュールは、方法実施形態におけるＳ５０６及びＳ５０６′での「ＲＲＣ接続をセットアップする」動作をサポートするよう構成される。
【０２４７】
更に、図２５に示されるように、端末２３００は、着呼通知モジュール２３０５を更に含んでもよい。着呼通知モジュール２３０５は、方法実施形態におけるＳ５０９及びＳ５０９′、並びに／又は本明細書で記載される技術の他のプロセスをサポートするよう構成される。
【０２４８】
更に、端末２３００は、他の判定モジュールを更に含んでもよい。他の判定モジュールは、方法実施形態におけるＳ１９０１及びＳ１９０１′、並びに／又は本明細書で記載される技術の他のプロセスをサポートするよう構成される。
【０２４９】
確かに、端末２３００は、先に挙げられたユニット及びモジュールを含むがこれらに限られない。例えば、端末２３００は、Ｓ５１１での「ＳＩＭカード１との音声通信を終了する」動作をサポートする制御モジュールを更に含んでもよい。その上、上記のモジュールによって実装され得る具体的な機能は、上記の実施形態で記載される方法ステップに対応する機能を含むがこれらに限られない。端末２３００の他のユニット及び端末２３００のユニットに関する詳細な説明については、対応する方法ステップに関する詳細な説明を参照されたい。詳細は、本願のこの実施形態においてここで記載されない。
【０２５０】
集積ユニットが使用されるときに、応答モジュール２３０３、判断モジュール、セットアップモジュール、着呼通知モジュール２３０５、判定モジュール２３０４、などは、実施のために１つの処理ユニットに一体化されてもよい。処理ユニットはプロセッサ又はコントローラであってよく、例えば、中央演算処理ユニット（Central  Processing  Unit，ＣＰＵ）、汎用プロセッサ、デジタル信号プロセッサ（Digital  Signal  Processor，ＤＳＰ）、特定用途向け集積回路（Application-Specific  Integrated  Circuit，ＡＳＩＣ）、フィールド・プログラマブル・ゲート・アレイ（Field  Programmable  Gate  Array，ＦＰＧＡ）、若しくは他のプログラム可能な論理デバイス、トランジスタ論理デバイス、ハードウェア部品、又はそれらの任意の組み合わせであってよい。処理ユニットは、本願で開示される内容を参照して記載される様々な、例となる論理ブロック、モジュール、及び回路を実装又は実行することができる。代替的に、処理ユニットは、計算機能を実装する組み合わせ、例えば、１つ以上のマイクロプロセッサを含む組み合わせ、又はＤＳＰとマイクロプロセッサとの組み合わせであってよい。記憶モジュールはメモリであってよい。表示モジュールはディスプレイであってよい。
【０２５１】
処理ユニットがプロセッサであり、記憶モジュールがメモリであり、送信モジュール及び受信モジュールが通信インターフェイスであるときに、本願のこの実施形態における端末２３００は、図２６に示される端末２６００であってよい。端末２６００はＤＲ−ＤＳＤＳに対応し、端末２６００は、１つ以上のプロセッサ２６０１、メモリ２６０２、通信インターフェイス２６０３、第１のＳＩＭカードインターフェイス２６０４、及び第２のＳＩＭカードインターフェイス２６０５を含む。
【０２５２】
メモリ２６０２、通信インターフェイス２６０３、第１のＳＩＭカードインターフェイス２６０４、及び第２のＳＩＭカードインターフェイス２６０５は、１つ以上のプロセッサ２６０１へ結合されている。例えば、図２６に示されるように、メモリ２６０２、通信インターフェイス２６０３、第１のＳＩＭカードインターフェイス２６０４、第２のＳＩＭカードインターフェイス２６０５、及びプロセッサ２６０１は、バス２６０６を通じて接続されてよい。
【０２５３】
第１のＳＩＭカードインターフェイス２６０４は、第１のＳＩＭカードと通信するよう構成され、第２のＳＩＭカードインターフェイス２６０５は、第２のＳＩＭカードと通信するよう構成され、通信インターフェイス２６０３は、２つの無線周波数受信チャネル（例えば、無線周波数Ｒｘ１チャネル及び無線周波数Ｒｘ２チャネル）と、１つの無線周波数送信チャネル（例えば、無線周波数Ｔｘチャネル）とを含む。メモリ２６０２は、コンピュータプログラムコードを記憶するよう構成され、ここで、コンピュータプログラムコードは命令を含み、命令を１つ以上のプロセッサ２６０１が実行するときに、端末２６００は、図５、図１０、並びに図１５及び図１５Ｂ乃至図２２Ａ及び図２２Ｂのうちいずれか１つに示される、デュアルカード・デュアルスタンバイ・デュアルパスを実装する通信方法を実行する。
【０２５４】
バス２６０６は、ペリフェラル・コンポーネント・インターコネクト（Peripheral  Component  Interconnect，ＰＣＩ）バス、拡張産業標準アーキテクチャ（Extended  Industry  Standard  Architecture，ＥＩＳＡ）バス、などであってよい。バス２６０６は、アドレスバス、データバス、コントロールバス、などに分類されてよい。表現の容易のために、１つの太線しか図２６ではバスを表すために使用されないが、ただ１つのバス又はただ１種類のバスしかないことを意味するものではない。
【０２５５】
本発明の実施形態は、コンピュータ記憶媒体を更に提供し、ここで、コンピュータ記憶媒体は、コンピュータプログラムコードを記憶し、コンピュータプログラムコードを端末２６００のプロセッサ２６０１が実行するときに、端末２６００は、上記の実施形態における、デュアルカード・デュアルスタンバイ・デュアルパスを実装する通信方法を実施するために、図５、図１０、並びに図１５及び図１５Ｂ乃至図２２Ａ及び図２２Ｂのうちいずれか１つにおける関連する方法ステップを実行する。
【０２５６】
本発明の実施形態は、コンピュータプログラム製品を更に提供し、コンピュータプログラム製品がコンピュータで実行されるときに、コンピュータは、上記の実施形態における、デュアルカード・デュアルスタンバイ・デュアルパスを実装する通信方法を実施するために、図５、図１０、並びに図１５及び図１５Ｂ乃至図２２Ａ及び図２２Ｂのうちいずれか１つにおける関連する方法ステップを実行する。
【０２５７】
本発明の実施形態で提供される端末、コンピュータ記憶媒体、及びコンピュータプログラム製品は全て、上記の対応する方法を実行するよう構成される。従って、それによって達成され得る有利な効果については、上記の対応する方法における有利な効果を参照されたい。詳細は、ここで再び記載されない。
【０２５８】
実施に関する上記の説明は、当業者が、便宜上及び簡潔な記載のために、上記の機能モジュールの分割が説明のための例と見なされると理解することを可能にする。実際の適用では、上記の機能は、異なる機能モジュールに割り当てられ、要件に従って実装され得る。すなわち、装置の内部構造は、上記の機能の全部は部分を実装するよう、異なる機能モジュールに分割される。上記のシステム、装置、及びユニットの詳細な作動プロセスについては、上記の方法実施形態における対応するプロセスを参照されたい。詳細は、ここで再び記載されない。
【０２５９】
本願で提供されるいくつかの実施形態において、開示されるシステム、装置、及び方法は他の様態で実装されてもよいことが理解されるべきである。例えば、記載される装置の実施形態は一例にすぎない。例えば、モジュール又はユニット分割は論理的な機能分割にすぎず、実際の実施では他の分割であってもよい。例えば、複数のユニット又はコンポーネントは、他のシステムに結合又は一体化されてもよく、あるいは、いくつかの機能は、無視されても又は実行されなくてもよい。その上、表示又は議論される相互結合又は直接の結合若しくは通信接続は、いくつかのインターフェイスを通じて実装されてもよい。装置又はユニット間の間接的な結合又は通信接続は、電気的な、機械的な、又は他の形態で実装されてもよい。
【０２６０】
別個の部分として記載されるユニットは、物理的に別個であってもなくてもよく、ユニットとして表示されている部分は、物理的なユニットであってもなくてもよく、一箇所に配置されても、あるいは、複数のネットワークユニットに分配されてもよい。ユニットの一部又は全ては、実施形態の解決法の目的を達成するために、実際の要件に従って選択されてよい。
【０２６１】
その上、本願の実施形態における機能ユニットは、１つの処理ユニットに一体化されてもよく、あるいは、ユニットの夫々は、物理的に単独で存在してもよく、あるいは、２つ以上のユニットが１つのユニットにまとめられてもよい。一体化されたユニットは、ハードウェアの形で実装されても、あるいは、ソフトウェア機能ユニットの形で実装されてもよい。
【０２６２】
一体化されたユニットがソフトウェア機能ユニットの形で実装され、独立した製品として販売又は使用されるときに、一体化されたユニットはコンピュータ可読記憶媒体に記憶されてよい。そのような理解に基づき、本願の技術的解決法は本質的に、あるいは、先行技術の寄与する部分、又は技術的解決法の全て若しくは一部は、ソフトウェア製品の形で実装されてもよい。コンピュータソフトウェア製品は、記憶媒体に記憶され、コンピュータデバイス（パーソナルコンピュータ、サーバ、ネットワークデバイス、などであってよい。）又はプロセッサに、本願の実施形態で記載される方法のステップの全て又は一部を実行するように指示するいくつかの命令を含む。上記の記憶媒体には、フラッシュメモリ、リムーバブルハードディスク、リード・オンリー・メモリ、ランダム・アクセス・メモリ、磁気ディスク、又は光ディスクなどの、プログラムコードを記憶することができる如何なる媒体も含まれる。
【０２６３】
上記の説明は、本願の具体的な実施にすぎず、本願の保護範囲を制限する意図はない。本願で開示される技術的範囲内の如何なる変形又は置換も、本願の保護範囲内に含まれるべきである。従って、本願の保護範囲は、特許請求の範囲の保護範囲に従うべきである。
【図１】
0006915079.tif 000008
【図２】
0006915079.tif 000009
【図３】
0006915079.tif 000010
【図４】
0006915079.tif 000011
【図５】
0006915079.tif 000012
【図６】
0006915079.tif 000013
【図７Ａ】
0006915079.tif 000014
【図７Ｂ】
0006915079.tif 000015
【図８Ａ】
0006915079.tif 000016
【図８Ｂ】
0006915079.tif 000017
【図９】
0006915079.tif 000018
【図１０】
0006915079.tif 000019
【図１１】
0006915079.tif 000020
【図１２】
0006915079.tif 000021
【図１３】
0006915079.tif 000022
【図１４】
0006915079.tif 000023
【図１５Ａ】
0006915079.tif 000024
【図１５Ｂ】
0006915079.tif 000025
【図１６Ａ】
0006915079.tif 000026
【図１６Ｂ】
0006915079.tif 000027
【図１７Ａ】
0006915079.tif 000028
【図１７Ｂ】
0006915079.tif 000029
【図１８Ａ】
0006915079.tif 000030
【図１８Ｂ】
0006915079.tif 000031
【図１９Ａ】
0006915079.tif 000032
【図１９Ｂ】
0006915079.tif 000033
【図２０Ａ】
0006915079.tif 000034
【図２０Ｂ】
0006915079.tif 000035
【図２０Ｃ】
0006915079.tif 000036
【図２１Ａ】
0006915079.tif 000037
【図２１Ｂ】
0006915079.tif 000038
【図２１Ｃ】
0006915079.tif 000039
【図２２Ａ】
0006915079.tif 000040
【図２２Ｂ】
0006915079.tif 000041
【図２３】
0006915079.tif 000042
【図２４】
0006915079.tif 000043
【図２５】
0006915079.tif 000044
【図２６】
0006915079.tif 000045